(57)【要約】  車両で所定の施設に入場したり退場したりする者の状況を簡便に、確実に把握できる入退場管理システムを提供する。発信装置１は、所定の施設に入退場する者によって所持され、固有の発信装置ＩＤを定期的に発信する。可搬型端末２は、入退場する者が所持する各発信装置１が発信した各発信装置ＩＤを受信し、その各発信装置ＩＤを管理サーバ４に送信する。アクセスポイント３は、可搬型端末２と管理サーバ４との通信を中継する。管理サーバ４は、所定の施設に入退場する者の入退場の履歴を管理する。
2017038027.tif 000002
【特許請求の範囲】
【請求項１】
所定の施設に入退場する者の入退場の履歴を管理する管理サーバと、
前記入退場する者によって所持され、固有の発信装置ＩＤを定期的に発信する発信装置と、
前記入退場する者が所持する各発信装置が発信した各発信装置ＩＤを受信し、前記各発信装置ＩＤを前記管理サーバに送信する可搬型端末と、
前記可搬型端末と前記管理サーバとの通信を中継するアクセスポイントとを備える
ことを特徴とする入退場管理システム。
【請求項２】
管理サーバには、予め、発信装置の発信装置ＩＤと当該発信装置を所持する者の情報とを対応付けた情報が登録され、
可搬型端末は、入退場する者が所持する各発信装置が発信した各発信装置ＩＤを受信し、前記各発信装置ＩＤを前記管理サーバに送信し、さらに所定の操作により、前記入退場する者の入場が確定したことを示す入場確定情報を前記管理サーバに送信し、
前記管理サーバは、前記可搬型端末から前記各発信装置ＩＤを受信し、続けて、前記入場確定情報を受信した場合に、前記各発信装置ＩＤに対応する者の履歴に入場済みである旨を記録する
請求項１に記載の入退場管理システム。
【請求項３】
管理サーバは、入退場する者の退場が確定したことを示す退場確定情報を受信した場合に、入退場する者の退場時の履歴を追加する通常モードと、前記退場確定情報を受信することなく、入退場する者の退場時の履歴を追加する非常時モードとに切り替え可能であり、
可搬型端末は、入退場する者が所持する各発信装置が発信した各発信装置ＩＤを受信し、前記各発信装置ＩＤを管理サーバに送信し、さらに第２の所定の操作により、前記退場確定情報を管理サーバに送信し、
前記管理サーバは、通常モードの場合、前記可搬型端末から前記各発信装置ＩＤを受信し、続けて、前記退場確定情報を受信したときに、前記各発信装置ＩＤに対応する者の履歴に退場済みである旨を記録する
請求項２に記載の入退場管理システム。
【請求項４】
可搬型端末は、入退場する者が所持する各発信装置が発信した各発信装置ＩＤを受信し、前記各発信装置ＩＤを前記管理サーバに送信し、
前記管理サーバは、非常時モードの場合、前記可搬型端末から前記各発信装置ＩＤを受信したときに、前記各発信装置ＩＤに対応する者の履歴に、入退場する者の位置情報を記録する
請求項３に記載の入退場管理システム。
【請求項５】
可搬型端末は、各発信装置ＩＤを管理サーバに送信するときに、当該可搬型端末の位置情報を合わせて送信し、
前記管理サーバは、前記可搬型端末の位置情報を入退場する者の位置情報とし、前記各発信装置ＩＤに対応する者の履歴に、前記可搬型端末の位置情報が示す位置を通過した旨を記録する
請求項４に記載の入退場管理システム。
【請求項６】
アクセスポイントは、可搬型端末が送信した各発信装置ＩＤを管理サーバに中継するときに、当該アクセスポイントのＩＤを前記各発信装置ＩＤに付加し、
前記管理サーバは、前記各発信装置ＩＤに対応する者の履歴に、前記アクセスポイントのＩＤから特定される前記アクセスポイントの位置を通過した旨を記録する
請求項４に記載の入退場管理システム。
【請求項７】
可搬型端末は、入退場する者が所持する各発信装置が発信した各発信装置ＩＤを受信し、前記各発信装置ＩＤを前記管理サーバに送信し、
前記管理サーバは、非常時モードの場合、前記可搬型端末から、ゲート近傍に設置されたアクセスポイントを介して前記各発信装置ＩＤを受信したときに、前記各発信装置ＩＤに対応する者の履歴に退場済みである旨を記録する
請求項３に記載の入退場管理システム。
【請求項８】
所定の施設の外部に設けられた公衆通信網の基地局を備え、
前記基地局は、指定された可搬型端末を当該基地局の通信範囲内で検出すると、当該可搬型端末と管理サーバとの通信を中継し、
前記管理サーバは、非常時モードの場合、前記可搬型端末から前記基地局を介して各発信装置ＩＤを受信したときに、前記可搬型端末の位置情報に応じて、前記各発信装置ＩＤに対応する者の履歴に退場済みである旨を記録する
請求項３から請求項７のうちのいずれか１項に記載の入退場管理システム。
【請求項９】
管理サーバは、非常時モードの場合、可搬型端末に対して、当該管理サーバの管理者によって登録された情報を送信する
請求項３から請求項８のうちのいずれか１項に記載の入退場管理システム。
【請求項１０】
可搬型端末は、発信装置ＩＤを受信すると、当該発信装置ＩＤを記憶するとともに、当該発信装置ＩＤの受信時刻から所定時間遡った時点よりも前に受信した発信装置ＩＤを消去する
請求項１から請求項９のうちのいずれか１項に記載の入退場管理システム。
【請求項１１】
所定の施設に入退場する者の入退場の履歴を管理する管理サーバと、前記入退場する者によって所持され、固有の発信装置ＩＤを定期的に発信する発信装置と、前記入退場する者が所持する各発信装置が発信した各発信装置ＩＤを受信し、前記各発信装置ＩＤを前記管理サーバに送信する可搬型端末と、前記可搬型端末と前記管理サーバとの通信を中継するアクセスポイントとを備え、管理サーバには、予め、発信装置の発信装置ＩＤと当該発信装置を所持する者の情報とを対応付けた情報が登録され、前記管理サーバは、入退場する者の退場が確定したことを示す退場確定情報を受信した場合に、入退場する者の退場時の履歴を追加する通常モードと、前記退場確定情報を受信することなく、入退場する者の退場時の履歴を追加する非常時モードとに切り替え可能である入退場管理システムに適用される入退場管理方法であって、
前記可搬型端末が、前記入退場する者が所持する各発信装置が発信した各発信装置ＩＤを受信し、前記各発信装置ＩＤを前記管理サーバに送信し、さらに所定の操作により、前記入退場する者の入場が確定したことを示す入場確定情報を前記管理サーバに送信し、
前記管理サーバが、前記可搬型端末から前記各発信装置ＩＤを受信し、続けて、前記入場確定情報を受信した場合に、前記各発信装置ＩＤに対応する者の履歴に入場済みである旨を記録する
ことを特徴とする入退場管理方法。
【請求項１２】
可搬型端末が、入退場する者が所持する各発信装置が発信した各発信装置ＩＤを受信し、前記各発信装置ＩＤを管理サーバに送信し、さらに第２の所定の操作により、退場確定情報を管理サーバに送信し、
前記管理サーバが、通常モードの場合、前記可搬型端末から前記各発信装置ＩＤを受信し、続けて、前記退場確定情報を受信したときに、前記各発信装置ＩＤに対応する者の履歴に退場済みである旨を記録する
請求項１１に記載の入退場管理方法。
【請求項１３】
可搬型端末が、入退場する者が所持する各発信装置が発信した各発信装置ＩＤを受信し、前記各発信装置ＩＤを前記管理サーバに送信し、
前記管理サーバが、非常時モードの場合、前記可搬型端末から前記各発信装置ＩＤを受信したときに、前記各発信装置ＩＤに対応する者の履歴に、入退場する者の位置情報を記録する
請求項１１または請求項１２に記載の入退場管理方法。
【請求項１４】
可搬型端末が、各発信装置ＩＤを管理サーバに送信するときに、当該可搬型端末の位置情報を合わせて送信し、
前記管理サーバが、前記可搬型端末の位置情報を入退場する者の位置情報とし、前記各発信装置ＩＤに対応する者の履歴に、前記可搬型端末の位置情報が示す位置を通過した旨を記録する
請求項１３に記載の入退場管理方法。
【請求項１５】
アクセスポイントが、可搬型端末が送信した各発信装置ＩＤを管理サーバに中継するときに、当該アクセスポイントのＩＤを前記各発信装置ＩＤに付加し、
前記管理サーバが、前記各発信装置ＩＤに対応する者の履歴に、前記アクセスポイントのＩＤから特定される前記アクセスポイントの位置を通過した旨を記録する
請求項１３に記載の入退場管理方法。
【請求項１６】
可搬型端末が、入退場する者が所持する各発信装置が発信した各発信装置ＩＤを受信し、前記各発信装置ＩＤを前記管理サーバに送信し、
前記管理サーバが、非常時モードの場合、前記可搬型端末から、ゲート近傍に設置されたアクセスポイントを介して前記各発信装置ＩＤを受信したときに、前記各発信装置ＩＤに対応する者の履歴に退場済みである旨を記録する
請求項１１または請求項１２に記載の入退場管理方法。
【請求項１７】
所定の施設の外部に設けられた公衆通信網の基地局が、指定された可搬型端末を当該基地局の通信範囲内で検出すると、当該可搬型端末と管理サーバとの通信を中継し、
前記管理サーバが、非常時モードの場合、前記可搬型端末から前記基地局を介して各発信装置ＩＤを受信したときに、前記可搬型端末の位置情報に応じて、前記各発信装置ＩＤに対応する者の履歴に退場済みである旨を記録する
請求項１１から請求項１６のうちのいずれか１項に記載の入退場管理方法。
【請求項１８】
管理サーバが、非常時モードの場合、可搬型端末に対して、当該管理サーバの管理者によって登録された情報を送信する
請求項１１から請求項１７のうちのいずれか１項に記載の入退場管理方法。
【請求項１９】
可搬型端末が、発信装置ＩＤを受信すると、当該発信装置ＩＤを記憶するとともに、当該発信装置ＩＤの受信時刻から所定時間遡った時点よりも前に受信した発信装置ＩＤを消去する
請求項１１から請求項１８のうちのいずれか１項に記載の入退場管理方法。
【発明の詳細な説明】
【技術分野】
【０００１】
本発明は、所定の施設に入場したり退場したりする者の状況を管理する入退場管理システムおよび入退場管理方法に関する。
【背景技術】
【０００２】
発電所、工場、研究所等における入退場管理では、高いセキュリティが求められる。このような場所に人が入場したり退場したりする場合、ゲートにいる警備員が入場者や退場者を個別にチェックすることが考えられる。【０００３】
また、特許文献１には、車両の乗員の個人識別を自動的に行う方式が記載されている。特許文献１に記載の方式は、車両検出装置と、車両識別装置と、各搭乗者が所持する個人識別カードとを有する。車両識別装置は、車両検出装置から呼出信号を受信すると、問い合わせ信号を送信する。個人識別カードは、この問い合わせ信号を受信すると、個人識別信号を送信する。車両識別装置は、この個人識別信号を受信すると、車両識別コードとともに車両識別装置に送信する。
【先行技術文献】
【特許文献】
【０００４】
【特許文献１】特開平４−２５５０９０号公報
【発明の概要】
【発明が解決しようとする課題】
【０００５】
前述のように、発電所、工場、研究所等における入退場管理では、高いセキュリティが求められる。発電所、工場、研究所等は、鉄道の駅等から離れた場所に建てられることも多く、車両に乗って向かうことが多い。そのため、そのような場所に車両で入場したり退場したりする者の状況を簡便に把握できるようにすることが好ましい。【０００６】
特許文献１に記載の技術では、車両の乗員の個人識別を自動的に行う。ただし、特許文献１に記載の技術では、車両検出装置が送信した呼出信号を車両識別装置が受信し、それを契機として、車両識別装置が問い合わせ信号を送信し、その問い合わせ信号を個人識別カードが受信できたことを条件に、個人識別カードは個人識別信号を送信する。このように、個人識別カードが個人識別信号を送信するための条件が存在するため、車両検出装置は必ずしも確実に個人識別信号を収集できるとは限らない。【０００７】
そこで、本発明は、車両で所定の施設に入場したり退場したりする者の状況を簡便に、確実に把握できる入退場管理システムおよび入退場管理方法を提供することを目的とする。
【課題を解決するための手段】
【０００８】
本発明による入退場管理システムは、所定の施設に入退場する者の入退場の履歴を管理する管理サーバと、入退場する者によって所持され、固有の発信装置ＩＤを定期的に発信する発信装置と、入退場する者が所持する各発信装置が発信した各発信装置ＩＤを受信し、各発信装置ＩＤを管理サーバに送信する可搬型端末と、可搬型端末と管理サーバとの通信を中継するアクセスポイントとを備えることを特徴とする。【０００９】
また、本発明による入退場管理方法は、所定の施設に入退場する者の入退場の履歴を管理する管理サーバと、入退場する者によって所持され、固有の発信装置ＩＤを定期的に発信する発信装置と、入退場する者が所持する各発信装置が発信した各発信装置ＩＤを受信し、各発信装置ＩＤを管理サーバに送信する可搬型端末と、可搬型端末と管理サーバとの通信を中継するアクセスポイントとを備え、管理サーバには、予め、発信装置の発信装置ＩＤと当該発信装置を所持する者の情報とを対応付けた情報が登録され、管理サーバは、入退場する者の退場が確定したことを示す退場確定情報を受信した場合に、入退場する者の退場時の履歴を追加する通常モードと、退場確定情報を受信することなく、入退場する者の退場時の履歴を追加する非常時モードとに切り替え可能である入退場管理システムに適用される入退場管理方法であって、可搬型端末が、入退場する者が所持する各発信装置が発信した各発信装置ＩＤを受信し、各発信装置ＩＤを管理サーバに送信し、さらに所定の操作により、入退場する者の入場が確定したことを示す入場確定情報を管理サーバに送信し、管理サーバが、可搬型端末から各発信装置ＩＤを受信し、続けて、入場確定情報を受信した場合に、各発信装置ＩＤに対応する者の履歴に入場済みである旨を記録することを特徴とする。
【発明の効果】
【００１０】
本発明によれば、車両で所定の施設に入場したり退場したりする者の状況を簡便に、確実に把握できる。
【図面の簡単な説明】
【００１１】
【図１】本発明の入退場管理システムの例を示す模式図である。
【図２】可搬型端末の構成例を示すブロック図である。
【図３】アクセスポイントの構成例を示すブロック図である。
【図４】管理サーバの構成例を示すブロック図である。
【図５】管理サーバに記憶されている車両番号の例を示す模式図である。
【図６】アクセスポイント情報の例を示す模式図である。
【図７】入退場管理テーブルの例を示す模式図である。
【図８】車両が施設に入場する場合の処理経過の例を示す説明図である。
【図９】ステップＳ１４後の入退場管理テーブルの例を示す模式図である。
【図１０】車両が通常時に施設から退場する場合の処理経過の例を示す説明図である。
【図１１】ステップＳ３４後の入退場管理テーブルの例を示す模式図である。
【図１２】車両が非常時に施設から退場する場合の第１の態様における処理経過の例を示す説明図である。
【図１３】第１の態様の結果得られる入退場管理テーブルの例を示す模式図である。
【図１４】第１の態様の結果得られる入退場管理テーブルの他の例を示す模式図である。
【図１５】車両が非常時に施設から退場する場合の第２の態様における処理経過の例を示す説明図である。
【図１６】予備のアクセスポイントを設けた場合の入退場管理システムの例を示す模式図である。
【図１７】車両が非常時に施設から退場する場合の第３の態様における処理経過の例を示す説明図である。
【図１８】第３の態様の結果得られる入退場管理テーブルの他の例を示す模式図である。
【図１９】基地局を含む入退場管理システムの例を示す模式図である。
【図２０】可搬型端末の構成例を示すブロック図である。
【図２１】管理サーバの構成例を示すブロック図である。
【図２２】車両が非常時に施設から退場する場合の第４の態様における処理経過の例を示す説明図である。
【図２３】第４の態様の結果得られる入退場管理テーブルの他の例を示す模式図である。
【図２４】本発明の入退場管理システムの概要を示すブロック図である。
【発明を実施するための形態】
【００１２】
以下、本発明の実施形態を図面を参照して説明する。
【００１３】
図１は、本発明の入退場管理システムの例を示す模式図である。本発明の入退場管理システムは、所定の施設２０に入場したり退場したりする者の状況を管理する。所定の施設２０は、鉄道の駅等から離れた場所に存在し、入退場者は、自動車等の車両１０に搭乗して所定の施設２０に入場したり、所定の施設２０から退場したりするものとする。本例では、所定の施設２０が化学工場である場合を例にして説明する。ただし、所定の施設２０は、化学工場に限定されず、その他の種類の工場、研究所、原子力発電所、火力発電所等であってもよい。以下、所定の施設２０を単に施設２０と記す。
【００１４】
また、本発明において、車両１０の種類は特に限定されない。例えば、車両１０は、数人乗りの乗用車であってもよく、あるいは、バス等であってもよい。
【００１５】
図１では、４人の搭乗者１２を乗せた車両１０が施設２０のゲート２１を通過する状態を示している。搭乗者１２は、予め、施設２０への入場が許可されている者（以下、入場予定者と記す。）である。また、車両１０も、予め、施設２０への入場が許可されている。また、通常時には、ゲート２１に警備員１３が駐在している。
【００１６】
本発明の入退場管理システムは、発信装置１と、可搬型端末２と、アクセスポイント３と、管理サーバ４とを備える。
【００１７】
管理サーバ４は、施設２０に入場する者の入場後の履歴を管理する。
【００１８】
発信装置１は、入場予定者毎に予め１つずつ用意され、各入場予定者がそれぞれ自身の発信装置１を所持する。従って、車両１０の搭乗者１２はそれぞれ１つずつ発信装置１を所持している。
【００１９】
各発信装置１にはそれぞれ固有の発信装置ＩＤが割り当てられている。従って、１つの発信装置１は、１人の搭乗者に対応している。また、各発信装置１は、割り当てられている発信装置ＩＤを定期的に発信する。このとき、各発信装置１は、発信装置ＩＤをブロードキャスト送信する。発信装置ＩＤの発信間隔は、例えば、数ミリ秒から１秒程度である。各発信装置１は、例えば、ＢＬＥ（Bluetooth Low Energy）の規格に従って、発信装置ＩＤを発信すればよい。以下、発信装置１がＢＬＥに従って発信装置ＩＤを発信する場合を例にして説明する。なお、Bluetooth は登録商標である。
【００２０】
可搬型端末２は、複数用意されている。可搬型端末２は、例えば、スマートフォンやタブレット端末である。警備員１３は、新たに車両１０が入場する毎に、１台の可搬型端末２を取り出し、その可搬型端末２を用いて入場時の処理を行った後、その可搬型端末２を車両１０の搭乗者１２のうちの１人に手渡す。
【００２１】
アクセスポイント３は、施設２０のゲート２１の近傍に設置される。また、アクセスポイント３は、無線ネットワークまたは有線ネットワークを介して、管理サーバ４に接続されている。アクセスポイント３は、その通信範囲２３内で可搬型端末２を検出すると、管理サーバ４と、通信範囲２３内の可搬型端末２との通信を中継する。アクセスポイント３はゲート２１の近傍に設置されるので、ゲート２１を通過する車両１０は通信範囲２３を通過することになる。
【００２２】
車両１０の入場時に、警備員１３が可搬型端末２を持って車両１０に近づくと、可搬型端末２は、車両１０の搭乗者１２が所持している各発信装置１が発信した各発信装置ＩＤを受信する。そして、可搬型端末２は、アクセスポイント３を介して、その各発信装置ＩＤを管理サーバ４に送信する。また、このとき、可搬型端末２は、警備員１３によって所定の操作をされることで、車両１０内の各搭乗者１２の入場が確定したことを示す入場確定情報を管理サーバ４に送信する。
【００２３】
管理サーバ４は、各発信装置ＩＤや入場確定情報を受信すると、その各発信装置ＩＤに対応する搭乗者１２の履歴に、入場済みである旨を記録する。
【００２４】
本例では、施設２０は、化学工場であり、非常時（地震等の災害や施設２０での事故等が発生した場合）には、新たに施設２０に入場する入場予定者はいないものとする。施設２０がその他の種類の工場、研究所、原子力発電所、火力発電所等である場合も同様である。
【００２５】
通常の場合、可搬型端末２を持った搭乗者１２を乗せた車両１０がゲートから退場するときに、その搭乗者１２は、その可搬型端末２を警備員１３に返却する。このとき、可搬型端末２は、車両１０の搭乗者１２が所持している各発信装置１が発信した各発信装置ＩＤを受信している。可搬型端末２は、アクセスポイント３を介して、その各発信装置ＩＤを管理サーバ４に送信する。また、このとき、可搬型端末２は、警備員１３によって、第２の所定の操作をされることで、車両１０内の各搭乗者１２の退場が確定したことを示す退場確定情報を管理サーバ４に送信する。
【００２６】
管理サーバ４は、各発信装置ＩＤや退場確定情報を受信すると、その各発信装置ＩＤに対応する搭乗者１２の履歴に、退場済みである旨を記録する。
【００２７】
また、非常時の場合には、搭乗者１２がその可搬型端末２を持ったまま、車両１０がゲート２１から退場してもよい。この場合にも、可搬型端末２は、アクセスポイント３を介して、その各発信装置ＩＤを管理サーバ４に送信する。
【００２８】
この場合、管理サーバ４は、退場確定情報を受信しなくても、その各発信装置ＩＤに対応する搭乗者１２の履歴を追加する。
【００２９】
管理サーバ４が、退場確定情報を受信した場合に、車両１０内の各搭乗者１２の退場時の履歴を追加する動作を、通常モードと記す。また、管理サーバ４が、退場確定情報を受信することなく、車両１０内の各搭乗者１２の退場時の履歴を追加する動作を、非常時モードと記す。通常モードと非常時モードとの切り替えは、管理サーバ４の管理者によって行われる。管理者は、管理サーバ４を、原則として通常モードに設定しておき、非常時になった場合（地震等の災害や施設２０での事故等が発生した場合）に直ちに、管理サーバ４を非常時モードに切り替える。前述のように、非常時には、新たに施設２０に入場する入場予定者はいないものとする。すなわち、管理サーバ４が非常時モードに切り替えられている状態で、新たに施設２０に入場する入場予定者はいないものとする。
【００３０】
なお、ゲート２１の近傍に設置されるアクセスポイント３とは別に、施設２０内にアクセスポイント（図示略）が設けられていてもよい。
【００３１】
図２は、可搬型端末２の構成例を示すブロック図である。可搬型端末２は、ＢＬＥインタフェース５１と、発信装置ＩＤ受信部５２と、端末内ＬＡＮ（Local Area Network）インタフェース５３と、ビーコン応答部５４と、情報送受信部５５と、端末保持情報管理部５６と、記憶部５７と、時刻測定部５８と、位置測定部５９と、入力デバイス６０と、表示部６１とを備える。
【００３２】
時刻測定部５８は、現在時刻を測定する可搬型端末２の内臓時計である。
【００３３】
位置測定部５９は、可搬型端末２の現在位置を測定する。位置測定部５９は、例えば、ＧＰＳ（Global Positioning System ）を用いて可搬型端末２の現在位置を測定するセンサである。また、位置測定部５９は、可搬型端末２の現在位置として、例えば、緯度および経度を測定してもよい。
【００３４】
入力デバイス６０は、使用者によって情報が入力される入力インタフェースであり、例えば、タッチパネルによって実現される。
【００３５】
表示部６１は、情報を表示する表示装置であり、例えば、液晶ディスプレイ装置によって実現される。
【００３６】
ＢＬＥインタフェース５１は、発信装置１がＢＬＥに従って発信した発信装置ＩＤを受信するインタフェースである。
【００３７】
発信装置ＩＤ受信部５２は、ＢＬＥインタフェース５１を介して、発信装置１が発信した発信装置ＩＤを受信する。発信装置ＩＤ受信部５２は、受信した発信装置ＩＤと、受信時の時刻とを対応付けて、記憶部５７に記憶させる。
【００３８】
記憶部５７は、発信装置ＩＤ受信部５２が受信した発信装置ＩＤ、警備員１３（図１参照）によって入力された車両１０の車両番号、および、可搬型端末２を識別するためのＩＤ（以下、端末ＩＤと記す。）を記憶する記憶装置である。
【００３９】
記憶部５７には、予め、可搬型端末２に固有の端末ＩＤが記憶されている。端末ＩＤは、変更や消去されずに、常時、記憶部５７に記憶されている。
【００４０】
端末保持情報管理部５６は、可搬型端末２が保持する情報（具体的には、発信装置ＩＤおよび車両番号）を管理する。以下、端末保持情報管理部５６について説明する。
【００４１】
端末保持情報管理部５６は、入力デバイス６０を介して、車両１０の車両番号が入力されると、その車両番号を記憶部５７に記憶させ、また、その車両番号を表示部６１に表示させる。
【００４２】
また、端末保持情報管理部５６は、発信装置ＩＤ受信部５２によって記憶部５７に発信装置ＩＤとその受信時刻が記憶されると、その受信時刻から一定時間遡った時刻より前に受信されていた発信装置ＩＤおよびその受信時刻を記憶部５７から消去する。以下、この一定時間が１０秒である場合を例にして説明する。例えば、新たに発信装置ＩＤおよびその受信時刻ｔ０が記憶部５７に記憶されたとする。すると、端末保持情報管理部５６は、時刻ｔ０から１０秒遡った時刻より前の受信時刻およびその受信時刻に対応付けられた発信装置ＩＤを消去する。
【００４３】
従って、発信装置ＩＤに関しては、発信装置ＩＤ受信部５２が最後に受信した発信装置ＩＤの受信時刻から過去、一定時間以内（本例では、過去１０秒以内）に受信した発信装置ＩＤおよびその受信時刻が記憶部５７に記憶され、最後に受信した発信装置ＩＤの受信時刻から１０秒遡った時刻より前に受信していた発信装置ＩＤは、記憶部５７に保持されない。
【００４４】
よって、例えば、車両１０の搭乗者１２が警備員１３から可搬型端末２を受け取った後、施設２０内で、搭乗者１２以外の者と会議等を行った際、発信装置ＩＤ受信部５２がその者の発信装置１から発信装置ＩＤを受信し、記憶部５７に記憶させたとしても、その者と離れて時間が経過すれば、その者の発信装置ＩＤは、端末保持情報管理部５６によって消去される。
【００４５】
また、車両１０の各搭乗者１２が車両に乗って、退場するためにゲートに向かった場合、各搭乗者１２が車両１０に乗ってから一定時間（例えば、１０秒）経過すれば、その各搭乗者１２の発信装置ＩＤは記憶部５７に記憶されているが、他の者の発信装置ＩＤは記憶部５７に記憶されていない状態になる。
【００４６】
端末内ＬＡＮインタフェース５３は、アクセスポイント３（図１参照）と通信を行う際の通信インタフェースである。
【００４７】
アクセスポイント３は、一定周期でビーコンを送信する。ビーコン応答部５４は、アクセスポイント３が送信したビーコンを、端末内ＬＡＮインタフェース５３を介して受信すると、そのビーコンに対する応答信号を、端末内ＬＡＮインタフェース５３を介してアクセスポイント３に送信する。この結果、可搬型端末２とアクセスポイント３との通信が確立され、可搬型端末２と管理サーバ４が通信可能となる。
【００４８】
情報送受信部５５は、端末内ＬＡＮインタフェース５３を介して、管理サーバ４に車両番号や発信装置ＩＤを送信する。また、情報送受信部５５は、管理サーバ４が送信した情報を、端末内ＬＡＮインタフェース５３を介して受信する。なお、可搬型端末２と管理サーバ４とが送受信する情報はアクセスポイント３によって中継される。
【００４９】
発信装置ＩＤ受信部５２、端末保持情報管理部５６、ビーコン応答部５４、および情報送受信部５５は、例えば、可搬型端末用アプリケーションプログラムに従って動作するコンピュータのＣＰＵによって実現される。この場合、可搬型端末２が備えるプログラム記憶装置（図示略）等のプログラム記録媒体に可搬型端末用アプリケーションプログラムを記憶させておき、ＣＰＵがその可搬型端末用アプリケーションプログラムを読み込み、そのプログラムに従って、発信装置ＩＤ受信部５２、端末保持情報管理部５６、ビーコン応答部５４、および情報送受信部５５として動作すればよい。発信装置ＩＤ受信部５２、端末保持情報管理部５６、ビーコン応答部５４、および情報送受信部５５がそれぞれ別々のハードウェアで実現されていてもよい。
【００５０】
図３は、アクセスポイント３の構成例を示すブロック図である。アクセスポイント３は、第１ＬＡＮインタフェース３１と、第２ＬＡＮインタフェース３２と、ビーコン送信部３３と、中継部３４と、記憶部３５とを備える。
【００５１】
第１ＬＡＮインタフェース３１は、可搬型端末２（図１参照）と通信を行う際の通信インタフェースである。
【００５２】
第２ＬＡＮインタフェース３２は、管理サーバ４（図１参照）と通信を行う際の通信インタフェースである。
【００５３】
ビーコン送信部３３は、第１ＬＡＮインタフェース３１を介して、一定周期でビーコンを送信する。ビーコンの送信周期は、アクセスポイント３の通信範囲２３（図１参照）内に入った可搬型端末２を検出できるように、短く設定されている。既に説明したように、ビーコン応答部５４（図２参照）は、ビーコンを受信すると、そのビーコンに対する応答信号をアクセスポイント３に送信する。ビーコン送信部３３は、第１ＬＡＮインタフェース３１を介して、その応答信号を受信する。アクセスポイント３および可搬型端末２が、ビーコンおよびその応答信号を送受信した結果、可搬型端末２とアクセスポイント３との通信が確立される。
【００５４】
記憶部３５は、アクセスポイント３を識別するためのＩＤ（以下、アクセスポイントＩＤと記す。）を記憶する記憶装置である。
【００５５】
中継部３４は、可搬型端末２と管理サーバ４とが送受信する情報を中継する。すなわち、中継部３４は、可搬型端末２から情報を受信すると、その情報を管理サーバ４に送信する。このとき、中継部３４は、可搬型端末２から受信した情報にアクセスポイントＩＤを追加してから、その情報を管理サーバ４に送信する。また、中継部３４は、管理サーバ４から情報を受信すると、その情報を可搬型端末２に送信する。
【００５６】
ビーコン送信部３３および中継部３４は、例えば、アクセスポイント用プログラムに従って動作するコンピュータのＣＰＵによって実現される。この場合、アクセスポイント３が備えるプログラム記憶装置（図示略）等のプログラム記録媒体にアクセスポイント用プログラムを記憶させておき、ＣＰＵがそのアクセスポイント用プログラムを読み込み、そのプログラムに従って、ビーコン送信部３３および中継部３４として動作すればよい。ビーコン送信部３３および中継部３４がそれぞれ別々のハードウェアで実現されていてもよい。
【００５７】
図４は、管理サーバ４の構成例を示すブロック図である。管理サーバ４は、サーバ内ＬＡＮインタフェース４１と、サーバ保持情報管理部４２と、記憶部４３と、操作部４４と、表示部４５を備える。
【００５８】
表示部４５は、情報を表示する表示装置であり、例えば、液晶ディスプレイ装置によって実現される。
【００５９】
サーバ内ＬＡＮインタフェース４１は、アクセスポイント３（図１参照）と通信を行う際の通信インタフェースである。
【００６０】
記憶部４３は、情報を記憶する記憶装置である。
【００６１】
記憶部４３は、施設２０への入場が予め許可されている各車両の車両番号を記憶する。図５は、記憶部４３に記憶されている車両番号の例を示す模式図である。図５に示す各行は、施設２０への入場が予め許可されている車両の車両番号を示している。
【００６２】
また、記憶部４３は、アクセスポイントＩＤと、そのアクセスポイントＩＤによって識別されるアクセスポイントの設置場所とを対応づけた情報（以下、アクセスポイント情報と記す。）を記憶する。図６は、記憶部４３に記憶されているアクセスポイント情報の例を示す模式図である。図６に示す各行は、施設２０に設置された各アクセスポイントのアクセスポイントＩＤおよび設置場所を示している。
【００６３】
また、記憶部４３は、入退場管理テーブルを記憶する。図７は、入退場管理テーブルの例を示す模式図である。図７に示すように、入退場管理テーブルにおいて、入場予定者毎に、例えば、「氏名」、「生年月日」、「性別」、「所属」、「発信装置ＩＤ」、「車両番号」、「端末ＩＤ」、「位置情報」、「アクセスポイントＩＤ」、「時刻」および「状態」が保持される。本例では、これらの項目が入退場管理テーブルに含まれる場合を例にして説明する。「氏名」、「生年月日」、「性別」、「所属」、および「発信装置ＩＤ」は、予め、入場予定者毎に、入退場管理テーブルに記述されている。従って、予め、入場予定者の「氏名」等の情報と、その入場予定者が所持する発信装置１の「発信装置ＩＤ」とが対応付けて、管理サーバ４に登録されている。
【００６４】
また、「車両番号」、「端末ＩＤ」、「位置情報」、「アクセスポイントＩＤ」、「時刻」および「状態」は、初期状態では記述されていない（図７参照）。「車両番号」、「端末ＩＤ」、「位置情報」、「アクセスポイントＩＤ」、「時刻」および「状態」は、管理サーバ４が可搬型端末２から情報を受信した際に、記述される。
【００６５】
図７に示す「状態」は、例えば、「入場済み」、「退場済み」等の入場予定者の状態を示す。
【００６６】
「端末ＩＤ」は、情報の送信元の可搬型端末２の端末ＩＤである。
【００６７】
「位置情報」は、可搬型端末２が情報を送信した時点における可搬型端末２の位置情報である。「アクセスポイントＩＤ」は、可搬型端末２から送信された情報を中継するアクセスポイントのアクセスポイントＩＤである。「時刻」は、可搬型端末２が情報を送信した時刻である。
【００６８】
「端末ＩＤ」、「位置情報」、「アクセスポイントＩＤ」、「時刻」および「状態」の組み合わせは、入場予定者の状態の履歴であるということができる。
【００６９】
なお、可搬型端末２から送信された情報を中継するアクセスポイントは、可搬型端末２の近くに存在する。また、アクセスポイント情報（図６参照）と、アクセスポイントＩＤとによって、アクセスポイントの設置場所を特定することができ、その場所を、可搬型端末２の位置とみなすことができる。従って、「位置情報」、「アクセスポイントＩＤ」のうち、いずれか一方が入退場管理テーブルに含まれていなくてもよい。
【００７０】
また、記憶部４３は、入退場管理テーブルに記述されている発信装置ＩＤに対応する入場予定者の顔写真データを記憶していることが好ましい。本実施形態では、記憶部４３が、発信装置ＩＤに対応する入場予定者の顔写真データを記憶している場合を例にして説明する。
【００７１】
サーバ保持情報管理部４２は、可搬型端末２から情報を受信すると、入退場管理テーブル内の「車両番号」、「端末ＩＤ」、「位置情報」、「アクセスポイントＩＤ」、「時刻」、「状態」を記述する。
【００７２】
サーバ保持情報管理部４２は、前述の通常モードと非常時モードとに切り替え可能である。
【００７３】
操作部４４は、管理サーバ４の管理者が通常モードや非常時モードへの切り替えを行うための操作デバイスであり、例えば、キーボード等によって実現される。管理者が操作部４４に対して行った操作に応じて、サーバ保持情報管理部４２は、通常モードまたは非常時モードに切り替えられる。サーバ保持情報管理部４２は、原則として通常モードに設定されていて、非常時になった場合（地震等の災害や施設２０での事故等が発生した場合）に直ちに管理者によって非常時モードに切り替えられる。
【００７４】
また、操作部４４は、記憶部４３に記憶されている情報の表示を指示するためにも用いられる。サーバ保持情報管理部４２は、操作部４４を介して管理者から入力された指示に応じて、記憶部４３に記憶されている情報を表示する。
【００７５】
サーバ保持情報管理部４２は、例えば、管理サーバ用プログラムに従って動作するコンピュータのＣＰＵによって実現される。この場合、管理サーバ４が備えるプログラム記憶装置（図示略）等のプログラム記録媒体に管理サーバ用プログラムを記憶させておき、ＣＰＵがその管理サーバ用プログラムを読み込み、このプログラムに従ってサーバ保持情報管理部４２として動作すればよい。
【００７６】
次に、本発明の処理経過について説明する。まず、搭乗者１２を乗せた車両１０が施設２０に入場する場合の処理経過について説明する。非常時には、新たに施設２０に入場する者はいないことを前提とする。従って、ここでは、サーバ保持情報管理部４２は通常モードに設定されているものとする。
【００７７】
図８は、搭乗者１２を乗せた車両１０が施設２０に入場する場合の処理経過の例を示す説明図である。車両１０は、施設２０に入場する際、ゲート２１で一旦、停止する。車両を確認した警備員１３（図１参照）は、複数用意されている可搬型端末２のうちの１つを持って、車両１０に近づく。この結果、その可搬型端末２は、アクセスポイント３の通信範囲２３内に位置することになる。なお、可搬型端末２は、例えば、初期状態で車両番号入力欄を表示している。
【００７８】
アクセスポイント３のビーコン送信部３３（図３参照）は、短い周期でビーコンを送信する（ステップＳ１）。警備員１３が持っている可搬型端末２のビーコン応答部５４（図２参照）は、ビーコンを受信すると、そのビーコンに対する応答信号を送信する（ステップＳ２）。ビーコン送信部３３がこの応答信号を受信すると、アクセスポイント３と可搬型端末２の通信が確立し、可搬型端末２と管理サーバ４との情報の送受信が可能となる。
【００７９】
警備員１３は、車両１０の車両番号を確認する。そして、警備員１３は、可搬型端末２に表示されている車両番号入力欄にその車両番号を入力する。すると、可搬型端末２の端末保持情報管理部５６は、その車両番号を記憶部５７に記憶させ、また、その車両番号を表示部６１に表示させる。また、情報送受信部５５は、その車両番号と、記憶部５７に記憶されている端末ＩＤとを管理サーバ４に送信する（ステップＳ３）。アクセスポイント３の中継部３４は、可搬型端末２から送信された車両番号および端末ＩＤを管理サーバ４に中継する。また、中継部３４は、中継時に、車両番号および端末ＩＤに、アクセスポイントＩＤを追加する。
【００８０】
管理サーバ４のサーバ保持情報管理部４２は、車両番号および端末ＩＤを受信すると、その車両番号が記憶部４３に記憶されていることを確認する（ステップＳ４）。記憶部４３は、図５に示すように、入場が予め許可されている各車両の車両番号を記憶している。従って、車両番号が記憶部４３に記憶されているということは、その車両番号の車両が入場を許可されていることを意味する。
【００８１】
車両番号が記憶部４３に記憶されていることを確認した後、サーバ保持情報管理部４２は、車両番号および端末ＩＤを受信したことに対する応答を、可搬型端末２に送信する（ステップＳ５）。このとき、中継部３４は、この応答を中継する。可搬型端末２の情報送受信部５５は、この応答を受信する。
【００８２】
また、搭乗者１２が所持している発信装置１は、定期的に発信装置ＩＤを発信する（ステップＳ６）。発信装置１は、発信装置ＩＤをブロードキャスト送信するので、車両の近くにいる警備員１３が持っている可搬型端末２は、その発信装置ＩＤを受信可能である。可搬型端末２の発信装置ＩＤ受信部５２は、その発信装置ＩＤを受信すると、その発信装置ＩＤおよび受信時刻を記憶部５７に記憶させる（ステップＳ７）。発信装置ＩＤ受信部５２は、時刻測定部５８が測定している時刻を参照して、受信時刻を判断すればよい。
【００８３】
図８では、１つの発信装置のみを示しているが、車両１０内の搭乗者１２は１人とは限らない。各搭乗者１２が所持している発信装置１毎に、ステップＳ６，Ｓ７が実行される。例えば、図１に示すように、搭乗者１２が４人である場合、４つの発信装置１それぞれについて、ステップＳ６，Ｓ７が実行される。
【００８４】
発信装置ＩＤの発信間隔は、例えば、数ミリ秒から１秒程度であるので、短時間で、記憶部５７には、各搭乗者１２の発信装置ＩＤが記憶される。また、最後に受信した発信装置ＩＤの受信時刻から１０秒遡った時刻より前に受信していた発信装置ＩＤは、記憶部５７に保持されない。従って、記憶部５７には、各搭乗者１２以外の者の発信装置ＩＤは記憶されていない。
【００８５】
図８では、便宜的に、ステップＳ５の後にステップＳ６，Ｓ７を示したが、ステップＳ６，Ｓ７は、ステップＳ５の後に行われるとは限らない。ステップＳ６，Ｓ７は、定期的に実行され、ステップＳ５より前に実行される場合もある。発信装置ＩＤの発信間隔は、例えば、数ミリ秒から１秒程度であるので、ステップＳ５より前に、各搭乗者１２の発信装置ＩＤが記憶部５７に記憶されていると言える。
【００８６】
ステップＳ５で送信された応答を受信すると、情報送受信部５５は、記憶部５７に記憶されている発信装置ＩＤを１つ読み出し、その発信装置ＩＤを管理サーバ４に送信する（ステップＳ８）。このとき、情報送受信部５５は、その時点の時刻情報および位置情報も合わせて送信する。情報送受信部５５は、時刻測定部５８が測定している時刻を参照することによって、その時点の時刻を判断する。また、位置情報は、位置測定部５９がその時点に測定した可搬型端末２の位置を示す。アクセスポイント３の中継部３４は、可搬型端末２から送信された発信装置ＩＤ、時刻情報および位置情報を中継する。また、中継部３４は、中継時に、発信装置ＩＤ、時刻情報および位置情報にアクセスポイントＩＤを追加する。
【００８７】
管理サーバ４のサーバ保持情報管理部４２は、発信装置ＩＤ、時刻情報および位置情報を受信すると、その発信装置ＩＤが記憶部４３に記憶されていることを確認する（ステップＳ９）。具体的には、サーバ保持情報管理部４２は、受信した発信装置ＩＤが入退場管理テーブル内に記述されていることを確認する。発信装置ＩＤが入退場管理テーブル内に記述されているということは、その発信装置ＩＤに対応する者が入場を許可されていることを意味する。
【００８８】
発信装置ＩＤが記憶部４３に記憶されていることを確認した後、サーバ保持情報管理部４２は、発信装置ＩＤ、時刻情報および位置情報を受信したことに対応する応答として、その発信装置ＩＤに対応する顔写真データを可搬型端末２に送信する（ステップＳ１０）。このとき、中継部３４は、この顔写真データを中継する。可搬型端末２の情報送受信部５５は、この顔写真データを受信し、端末保持情報管理部５６は、その顔写真データに基づいて、表示部６１に顔写真を表示させる（ステップＳ１１）。
【００８９】
ステップＳ８〜Ｓ１１の処理は、記憶部５７に記憶されている発信装置ＩＤの種類毎に１回ずつ実行される。なお、発信装置１は短い周期で発信装置ＩＤの発信を繰り返すので、同一の発信装置ＩＤが異なる受信時刻とともに、記憶部５７に記憶されることになる。その発信装置ＩＤについて、ステップＳ８〜Ｓ１１の処理が１回実行される。
【００９０】
図１に示すように、４人の搭乗者１２が存在する場合、４種類の発信装置ＩＤに対してそれぞれ、ステップＳ８〜Ｓ１１の処理が１回ずつ実行される。その結果、４人分の顔写真が表示されることになる。
【００９１】
警備員１３は、車両１０の各搭乗者１２と、表示部６１に表示された顔写真とを比較し、一致していることを確認すると、所定の操作を行う。例えば、警備員１３は、可搬型端末２の表示部６１に表示されている入場時用の確認ボタンにタッチする。情報送受信部５５は、この操作を検知すると（ステップＳ１２）、入場確定情報を管理サーバ４に送信する（ステップＳ１３）。アクセスポイント３の中継部３４は、可搬型端末２から送信された入場確定情報を管理サーバ４に中継する。また、中継部３４は、中継時に、入場確定情報にアクセスポイントＩＤを追加する。
【００９２】
管理サーバ４のサーバ保持情報管理部４２は、入場確定情報を受信すると、ステップＳ８で受信した各発信装置ＩＤに対応付けて、入場済みであることを、入退場管理テーブルに記録する（ステップＳ１４）。具体的には、サーバ保持情報管理部４２は、受信した各発信装置ＩＤに対応する「状態」の項目に、「入場済み」という内容を記録する。このとき、サーバ保持情報管理部４２は、ステップＳ３で受信した車両番号および端末ＩＤも、各発信装置ＩＤに対応する「車両番号」、「端末ＩＤ」の項目に記録する。また、サーバ保持情報管理部４２は、ステップＳ８で発信装置ＩＤとともに受信した時刻情報が示す時刻を「時刻」の項目に記録する。同様に、サーバ保持情報管理部４２は、ステップＳ８で発信装置ＩＤとともに受信した位置情報が示す位置を「位置情報」の項目に記録する。また、サーバ保持情報管理部４２は、ステップＳ３，Ｓ８，Ｓ１３において、中継部３４が中継時に追加したアクセスポイント３のアクセスポイントＩＤを、「アクセスポイントＩＤ」の項目に記録する。
【００９３】
図７に示す４人が車両に搭乗していたとする。この場合、ステップＳ１４後の入退場管理テーブルは、図９に例示するようになる。なお、図９に示す例では、車両１０の車両番号が「１１１１」であり、可搬型端末２の端末ＩＤが「Ｔ１０１」である場合を示している。また、図６に示すように、ゲート２１の近傍に設置されたアクセスポイント３のアクセスポイントＩＤが「ＡＰ０００１」である場合を示している。また、情報送受信部５５が管理サーバ４にそれぞれの発信装置ＩＤを送信した時刻がいずれも１３時５分である場合を示している。また、ゲート２１の緯度および経度が（ｘ１，ｙ１）であり、情報送受信部５５がそれぞれの発信装置ＩＤの送信時に、可搬型端末２が位置情報として（ｘ１，ｙ１）を管理サーバ４に送信した場合を示している。
【００９４】
この結果、「Ｔ１０１」、「（ｘ１，ｙ１）」、「ＡＰ０００１」、「１３：０５」および「入場済み」という組み合わせが履歴として記録されたことになる。
【００９５】
ステップＳ１４の後、サーバ保持情報管理部４２は、入場確定情報に対する応答を、可搬型端末２に送信する（ステップＳ１５）。このとき、中継部３４は、この応答を中継する。可搬型端末２の情報送受信部５５は、この応答を受信すると、通信が終了した旨を表示部６１に表示させる。
【００９６】
警備員１３は、通信が終了した旨の表示を確認すると、可搬型端末２を車両１０の搭乗者１２の代表者に手渡す。その代表者は、退場時まで、その可搬型端末２を所持する。そして、車両１０は、施設２０内に進入する。
【００９７】
この時点で、管理者が管理サーバ４に対して入退場管理テーブルの表示を指示すると、サーバ保持情報管理部４２は、図９に例示する入退場管理テーブルを表示する。この結果、管理者は、図９に示す４人が入場済みであることを確認することができる。
【００９８】
なお、上記の例では、サーバ保持情報管理部４２がステップＳ１０で顔写真データを送信する場合を例にして説明したが、サーバ保持情報管理部４２で発信装置ＩＤに対応する入場予定者の氏名を送信してもよい。その場合、端末保持情報管理部５６は、ステップＳ１１で、その氏名を表示してもよい。このとき、警備員１３は、搭乗者１２の人数分の氏名が表示されていることを確認した後に、入場時用の確認ボタンにタッチすればよい。ただし、顔写真を用いた方が、本人確認を確実に行えるので、サーバ保持情報管理部４２はステップＳ１０で顔写真データを送信することがより好ましい。
【００９９】
また、サーバ保持情報管理部４２は、受信した車両番号が記憶部４３に記憶されていることを確認できなかった場合、ステップＳ５（応答の送信）を実行しない。この応答を受信しなかった場合、情報送受信部５５は、その旨を表示する。この場合、警備員１３は、車両の入場を許可しない。同様に、サーバ保持情報管理部４２は、受信した発信装置ＩＤが記憶部４３に記憶されていることを確認できなかった場合、ステップＳ１０（顔写真データの送信）を実行しない。その結果、各搭乗者１２の顔写真が可搬型端末２に表示されなかった場合にも、警備員１３は、車両の入場を許可しない。
【０１００】
次に、搭乗者１２を乗せた車両１０が通常時に施設２０から退場する場合の処理経過について説明する。図１０は、搭乗者１２を乗せた車両１０が通常時に施設２０から退場する場合の処理経過の例を示す説明図である。図８に示す処理と同様の処理については、詳細な説明を省略する。図１０の説明では、管理サーバ４（より具体的には、サーバ保持情報管理部４２）は、通常モードに設定されているものとする。
【０１０１】
また、退場者は、入場時と同じ車両に乗って退場する。以下に示す例では、図９に例示した４人が、車両番号「１１１１」の車両１０に乗って、退場のためゲート２１に向かう。この４人のうちの代表者は、入場時に手渡された可搬型端末２を所持している。この可搬型端末２の端末ＩＤは「Ｔ１０１」である。
【０１０２】
車両１０の搭乗者１２が所持している発信装置１は、定期的に発信装置ＩＤを発信する（ステップＳ２１）。可搬型端末２の発信装置ＩＤ受信部５２は、その発信装置ＩＤを受信すると、その発信装置ＩＤおよび受信時刻を記憶部５７に記憶させる（ステップＳ２２）。ステップＳ２１，Ｓ２２は、図８に示すステップＳ６，Ｓ７と同様である。
【０１０３】
また、各搭乗者１２が所持している発信装置１毎に、ステップＳ２１，Ｓ２２が実行される。搭乗者１２が４人である場合、４つの発信装置１それぞれについて、ステップＳ２１，Ｓ２２が実行される。
【０１０４】
発信装置ＩＤの発信間隔は、例えば、数ミリ秒から１秒程度であるので、短時間で、記憶部５７には、各搭乗者１２の発信装置ＩＤが記憶される。また、最後に受信した発信装置ＩＤの受信時刻から１０秒遡った時刻より前に受信していた発信装置ＩＤは、記憶部５７に保持されない。従って、例えば、搭乗者１２が施設２０内で他の者と会議等を行った際に、その者に対応する発信装置ＩＤが記憶部５７に記憶されたとしても、４人の搭乗者１２が車両１０に乗ってゲート２１に向かう途中で、その者の発信装置ＩＤは消去される。よって、記憶部５７に記憶されている発信装置ＩＤは、４人の搭乗者１２の発信装置ＩＤのみである。
【０１０５】
アクセスポイント３のビーコン送信部３３は、短い周期でビーコンを送信する（ステップＳ２３）。車両１０がゲート２１に近づき、ゲート２１の近傍のアクセスポイント３の通信範囲２３に入ると、入場時に搭乗者１２の代表者に手渡された可搬型端末２のビーコン応答部５４はこのビーコンを受信する。すると、ビーコン応答部５４は、そのビーコンに対する応答信号を送信する（ステップＳ２４）。この結果、アクセスポイント３と可搬型端末２の通信が確立し、可搬型端末２と管理サーバ４との情報の送受信が可能となる。ステップＳ２３，Ｓ２４は、図８に示すステップＳ１，Ｓ２と同様である。
【０１０６】
また、車内の搭乗者１２の代表者は、入場時に警備員１３に手渡された可搬型端末２を警備員１３に返却する。
【０１０７】
続いて、情報送受信部５５は、記憶部５７に記憶されている車両番号および端末ＩＤを管理サーバ４に送信する（ステップＳ２５）。
【０１０８】
管理サーバ４のサーバ保持情報管理部４２は、車両番号および端末ＩＤを受信すると、その車両番号が記憶部４３に記憶されていることを確認する（ステップＳ２６）。ステップＳ２６の後、サーバ保持情報管理部４２は、車両番号および端末ＩＤを受信したことに対する応答を、可搬型端末２に送信する（ステップＳ２７）。
【０１０９】
ステップＳ２５〜Ｓ２７は、図８に示すステップＳ３〜Ｓ５と同様である。また、ステップＳ２５やステップＳ２７におけるアクセスポイント３の中継動作も、ステップＳ３やステップＳ５におけるアクセスポイント３の中継動作と同様である。
【０１１０】
次に、情報送受信部５５は、記憶部５７に記憶されている発信装置ＩＤを１つ読み出し、その発信装置ＩＤを管理サーバ４に送信する（ステップＳ２８）。このとき、情報送受信部５５は、その時点の時刻情報および可搬型端末２の位置情報も合わせて送信する。
【０１１１】
管理サーバ４のサーバ保持情報管理部４２は、発信装置ＩＤ、時刻情報および位置情報を受信すると、その発信装置ＩＤが記憶部４３に記憶されていることを確認する（ステップＳ２９）。具体的には、サーバ保持情報管理部４２は、受信した発信装置ＩＤが入退場管理テーブル内に記述されていることを確認する。
【０１１２】
発信装置ＩＤが記憶部４３に記憶されていることを確認した後、サーバ保持情報管理部４２は、発信装置ＩＤ、時刻情報および位置情報を受信したことに対応する応答として、その発信装置ＩＤに対応する顔写真データを可搬型端末２に送信する（ステップＳ３０）。可搬型端末２の情報送受信部５５は、この顔写真データを受信し、端末保持情報管理部５６は、その顔写真データに基づいて、表示部６１に顔写真を表示させる（ステップＳ３１）。ステップＳ２８〜Ｓ３１は、図８に示すステップＳ８〜Ｓ１１と同様である。また、ステップＳ２８やステップＳ３０におけるアクセスポイント３の中継動作も、ステップＳ８やステップＳ１０におけるアクセスポイント３の中継動作と同様である。
【０１１３】
ステップＳ２８〜ステップＳ３１の処理は、記憶部５７に記憶されている発信装置ＩＤの種類毎に１回ずつ実行される。この点も、ステップＳ８〜Ｓ１１と同様である。
【０１１４】
４人の搭乗者１２が存在する場合、４種類の発信装置ＩＤに対してそれぞれ、ステップＳ２８〜Ｓ３１の処理が１回ずつ実行される。その結果、４人分の顔写真が表示されることになる。
【０１１５】
警備員１３は、車両１０の各搭乗者１２と、表示部６１に表示された顔写真とを比較し、一致していることを確認する。また、可搬型端末２に表示されている車両番号と、退場しようとしている車両の車両番号とが一致していることを確認する。この確認後、警備員１３は、第２の所定の操作（入場時の所定の操作と区別して、第２の所定の操作と記す。）を行う。以下、第２の所定の操作が、可搬型端末２の表示部６１に表示されている退場時用の確認ボタンをタッチする操作である場合を例にする。警備員１３が、退場時用の確認ボタンをタッチし、情報送受信部５５は、この操作を検知すると（ステップＳ３２）、退場確定情報を管理サーバ４に送信する（ステップＳ３３）。アクセスポイント３の中継部３４は、可搬型端末２から送信された退場確定情報を管理サーバ４に中継する。また、中継部３４は、中継時に、退場確定情報にアクセスポイントＩＤを追加する。
【０１１６】
管理サーバ４のサーバ保持情報管理部４２は、退場確定情報を受信すると、ステップＳ２８で受信した各発信装置ＩＤに対応づけて、退場済みであることを、入退場管理テーブルに記録する（ステップＳ３４）。具体的には、サーバ保持情報管理部４２は、受信した各発信装置ＩＤに対応する「状態」の項目に、「退場済み」という内容を記録する。このとき、サーバ保持情報管理部４２は、ステップＳ２５で受信した端末ＩＤ（本例では、Ｔ１０１）も、各発信装置ＩＤに対応する「端末ＩＤ」の項目に記録する。また、サーバ保持情報管理部４２は、ステップＳ２８で発信装置ＩＤとともに受信した時刻情報が示す時刻を、「時刻」の項目に記録する。同様に、サーバ保持情報管理部４２は、ステップＳ２８で発信装置ＩＤとともに受信した位置情報が示す位置を、「位置情報」の項目に記録する。また、サーバ保持情報管理部４２は、ステップＳ２５，Ｓ２８，Ｓ３３において、中継部３４が中継時に追加したアクセスポイント３のアクセスポイントＩＤを、「アクセスポイントＩＤ」の項目に記録する。前述のように、ゲート２１の近傍に設置されたアクセスポイント３のアクセスポイントＩＤが「ＡＰ０００１」であるものとする。これらの情報は、既に入退場管理テーブルに記録されている情報に追加記録される。
【０１１７】
この場合、ステップＳ３４後の入退場管理テーブルは、図１１に例示するようになる。図１１に示す例においても、各発信装置ＩＤの送信時に可搬型端末２が位置情報として（ｘ１，ｙ１）を管理サーバ４に送信した場合を示している。また、情報送受信部５５が管理サーバ４にそれぞれの発信装置ＩＤを送信した時刻がいずれも１６時０分である場合を示している。
【０１１８】
この結果、「Ｔ１０１」、「（ｘ１，ｙ１）」、「ＡＰ０００１」、「１６：００」および「退場済み」という組み合わせが履歴として記録されたことになる。
【０１１９】
本例では、サーバ保持情報管理部４２は、通常モードに設定されている。従って、サーバ保持情報管理部４２は、上記のように、退場確定情報を受信した後に、履歴を追加する。
【０１２０】
ステップＳ３４の後、サーバ保持情報管理部４２は、退場確定情報に対する応答を、可搬型端末２に送信する（ステップＳ３５）。このとき、中継部３４は、この応答を中継する。可搬型端末２の情報送受信部５５は、この応答を受信すると、通信が終了した旨を表示部６１に表示させる。
【０１２１】
そして、車両１０は、施設２０の外に出る。また、警備員１３は、返却された可搬型端末２を操作して、記憶部５７に記憶されている車両番号や発信装置ＩＤを消去することによって、可搬型端末２を初期状態に戻す。
【０１２２】
この時点で、管理者が管理サーバ４に対して入退場管理テーブルの表示を指示すると、サーバ保持情報管理部４２は、図１１に例示する入退場管理テーブルを表示する。この結果、管理者は、図９に示す４人が退場済みであることを確認することができる。
【０１２３】
次に、車両１０が非常時に施設２０から退場する場合の処理経過について説明する。車両１０が非常時に施設２０から退場する態様として複数種類の態様がある。以下、非常時の各退場態様についてそれぞれ説明する。なお、以下に示す非常時の各退場態様では、管理サーバ４（より具体的には、サーバ保持情報管理部４２）は、非常時モードに切り替えられているものとする。
【０１２４】
以下に示す各退場態様でも、退場者は、入場時と同じ車両に乗って退場する場合を例にする。以下に示す例では、図９に例示した４人が、車両番号「１１１１」の車両１０に乗って、退場のためゲート２１に向かう。この４人のうちの代表者は、入場時に手渡された可搬型端末２を所持している。この可搬型端末２の端末ＩＤは「Ｔ１０１」である。
【０１２５】
図１２は、車両１０が非常時に施設２０から退場する場合の第１の態様における処理経過の例を示す説明図である。第１の態様では、非常時のため、警備員１３がゲート２１に駐在していることができず、警備員１３がゲート２１にいないことを前提とする。また、車両１０はゲート２１で停止することなく、施設２０から退場してよい。従って、搭乗者１２の代表者は、可搬型端末２を持ったまま退場してよい。
【０１２６】
図１２において、図１０に示した処理と同様の処理には、図１０と同一のステップ番号を付し、詳細な説明を省略する。
【０１２７】
既に説明したように、各搭乗者１２が所持している発信装置１毎に、ステップＳ２１，Ｓ２２が実行される。搭乗者１２が４人である場合、４つの発信装置１それぞれについて、ステップＳ２１，Ｓ２２が実行される。
【０１２８】
また、可搬型端末２の記憶部５７に記憶される発信装置ＩＤは、４人の搭乗者１２の発信装置ＩＤのみとなる。この点については、既に説明しているので、詳細な説明は省略する。
【０１２９】
ステップＳ２３，Ｓ２４の結果、アクセスポイント３と可搬型端末２の通信が確立し、可搬型端末２と管理サーバ４との情報の送受信が可能となる。
【０１３０】
ステップＳ２５〜Ｓ２７の処理は、図１０で説明したステップＳ２５〜Ｓ２７と同様である。ただし、可搬型端末２は、警備員１３に返却されず、車両１０内で管理サーバ４との通信を行う。以降の動作においても、可搬型端末２は、車両１０内で管理サーバ４との通信を行う。
【０１３１】
ステップＳ２７の後、情報送受信部５５は、記憶部５７に記憶されている発信装置ＩＤを１つ読み出し、その発信装置ＩＤを管理サーバ４に送信する（ステップＳ２８）。このとき、情報送受信部５５は、その時点の時刻情報および可搬型端末２の位置情報も合わせて送信する。本例では、車両１０は施設２０の外に向けてゲート２１付近を走行していて、説明を簡単にするために、情報送受信部５５が位置情報として（ｘ１，ｙ１）を送信する場合を例にして説明する。管理サーバ４のサーバ保持情報管理部４２は、発信装置ＩＤ、時刻情報および位置情報を受信すると、その発信装置ＩＤが記憶部４３に記憶されていることを確認する（ステップＳ２９）。具体的には、サーバ保持情報管理部４２は、受信した発信装置ＩＤが入退場管理テーブル内に記述されていることを確認する。
【０１３２】
次に、管理サーバ４のサーバ保持情報管理部４２は、ステップＳ２８で受信した発信装置ＩＤに対応付けて、発信装置ＩＤを送信した時点の可搬型端末２の位置を通過した旨を入退場管理テーブルに記録する（ステップＳ４１）。具体的には、サーバ保持情報管理部４２は、受信した各発信装置ＩＤに対応する「状態」の項目に、発信装置ＩＤを送信した時点の可搬型端末２の位置を具体的に記録し、その位置を通過した旨を記録する。本例では、サーバ保持情報管理部４２は、受信した各発信装置ＩＤに対応する「状態」の項目に、「（ｘ１、ｙ１）を通過」という情報を記録する。
【０１３３】
このとき、サーバ保持情報管理部４２は、ステップＳ２５で受信した端末ＩＤ（本例では、Ｔ１０１）も、発信装置ＩＤに対応する「端末ＩＤ」の項目に記録する。また、サーバ保持情報管理部４２は、ステップＳ２８で発信装置ＩＤとともに受信した時刻情報が示す時刻を、「時刻」の項目に記録する。同様に、サーバ保持情報管理部４２は、ステップＳ２８で発信装置ＩＤとともに受信した位置情報が示す位置を、「位置情報」の項目に記録する。また、サーバ保持情報管理部４２は、ステップＳ２５，Ｓ２８において、中継部３４が中継時に追加したアクセスポイント３のアクセスポイントＩＤを、「アクセスポイントＩＤ」の項目に記録する。前述のように、ゲート２１の近傍に設置されたアクセスポイント３のアクセスポイントＩＤが「ＡＰ０００１」であるものとする。これらの情報は、既に入退場管理テーブルに記録されている情報に追加記録される。
【０１３４】
本例では、サーバ保持情報管理部４２は、非常時モードに設定されている。従って、サーバ保持情報管理部４２は、退場確定情報を受信しなくても、発信装置ＩＤ等を受信した後に、ステップＳ４１において履歴を追加する。
【０１３５】
ステップＳ４１の後、サーバ保持情報管理部４２は、発信装置ＩＤ、時刻情報および位置情報に対する応答を、可搬型端末２に送信する（ステップＳ４２）。このとき、中継部３４は、この応答を中継する。
【０１３６】
ステップＳ２８〜Ｓ４２の処理は、記憶部５７に記憶されている発信装置ＩＤの種類毎に１回ずつ実行される。４人の搭乗者１２が存在する場合、４種類の発信装置ＩＤに対してそれぞれ、ステップＳ２８〜Ｓ４２の処理が１回ずつ実行される。
【０１３７】
４種類の発信装置ＩＤに対してそれぞれ、ステップＳ２８〜Ｓ４２の処理が１回ずつ実行された結果、入退場管理テーブルは、図１３に例示するようになる。図１３に示す例でも、情報送受信部５５が管理サーバ４にそれぞれの発信装置ＩＤを送信した時刻がいずれも１６時０分である場合を示している。
【０１３８】
図１２に示す個々の処理の時間は短いので、車両１０が、アクセスポイント３の通信範囲２３を通過している間に、各搭乗者１２の履歴が入退場管理テーブルに追加される。車両１０は、そのままゲート２１から施設２０の外部に進んでよい。
【０１３９】
車両１０が退場した後、管理者が管理サーバ４に対して入退場管理テーブルの表示を指示すると、サーバ保持情報管理部４２は、図１３に例示する入退場管理テーブルを表示する。この結果、管理者は、図１３に示す４人が退場したと判断することができる。
【０１４０】
なお、施設２０の外部にも、アクセスポイント３と同様のアクセスポイント（図示略）を設けていてもよい。車両１０がそのアクセスポイントの通信範囲を通過した場合にも、図１２に示すステップＳ２１〜Ｓ４２と同様の処理が行われ、さらに、図１３に示した履歴にさらに履歴が追加される。
【０１４１】
上記の説明では、ステップＳ４１において、サーバ保持情報管理部４２が、可搬型端末２から受信した位置情報が示す場所を通過した旨を履歴に追加する場合を例にして説明した（図１３参照）。ステップＳ２５〜Ｓ４２を実行している間、可搬型端末２は、アクセスポイント３の通信範囲２３内に存在している。従って、発信装置ＩＤを中継したアクセスポイント３のアクセスポイントＩＤから特定されるアクセスポイント３の設置場所を、発信装置ＩＤの送信時点での可搬型端末２の位置とみなすことができる。よって、サーバ保持情報管理部４２は、ステップＳ４２において、ステップＳ２８における中継時に中継部３４が追加したアクセスポイントＩＤから特定される場所を通過した旨を、受信した発信装置ＩＤに対応する「状態」の項目に追加記録してもよい。例えば、ステップＳ２８でサーバ保持情報管理部４２が受信した発信装置ＩＤ等にアクセスポイントＩＤ“ＡＰ０００１”が追加されていたとする。サーバ保持情報管理部４２は、記憶部４３に記憶されているアクセスポイント情報（図６参照）に基づいて、“ＡＰ０００１”に対応する設置場所がゲート近傍であると判断する。そして、サーバ保持情報管理部４２は、ステップＳ２８で受信した発信装置ＩＤに対応する「状態」の項目に、「ゲート近傍を通過」と記録してもよい。その他の点は、前述のステップＳ４１と同様である。この場合、入退場管理テーブルは、図１４に例示するようになる。管理者は、図１４に例示する入退場管理テーブルを参照した場合であっても、図１４に示す４人が退場したと判断することができる。
【０１４２】
非常時に退場する場合の第１の態様では、ステップＳ４１（図１２参照）で、サーバ保持情報管理部４２は、発信装置ＩＤを送信した時点の可搬型端末２の位置を通過した旨を入退場管理テーブル記録する。サーバ保持情報管理部４２は、退場済みであることを明示的に入退場管理テーブルに記録してもよい。以下、この場合を、非常時に退場する場合の第２の態様として説明する。
【０１４３】
図１５は、車両１０が非常時に施設２０から退場する場合の第２の態様における処理経過の例を示す説明図である。第１の態様と同様の動作については、図１２と同一のステップ番号を付し、詳細な説明を省略する。
【０１４４】
第２の態様においても、警備員１３がゲート２１にいないことを前提とする。また、車両１０はゲート２１で停止することなく、施設２０から退場してよい。従って、搭乗者１２の代表者は、可搬型端末２を持ったまま退場してよい。
【０１４５】
ステップＳ２１〜Ｓ２９、およびステップＳ４２は、第１の態様におけるステップＳ２１〜Ｓ２９、およびステップＳ４２と同様である。
【０１４６】
第２の態様では、サーバ保持情報管理部４２は、ステップＳ２８で発信装置ＩＤ、時刻情報および位置情報を受信し、ステップＳ２９でその発信装置ＩＤが入退場管理テーブル内に記述されていることを確認した後、ステップＳ２８で受信した発信装置ＩＤ等に追加されているアクセスポイントＩＤに対応するアクセスポイントの設置場所を、アクセスポイント情報（図６参照）に基づいて判定する。その設置場所がゲート近傍であることを条件に、サーバ保持情報管理部４２は、ステップＳ２８で受信した発信装置ＩＤに対応する「状態」の項目に、退場済みであることを記録する（ステップＳ５１）。
【０１４７】
このとき、サーバ保持情報管理部４２は、ステップＳ２５で受信した端末ＩＤも、発信装置ＩＤに対応する「端末ＩＤ」の項目に記録する。また、サーバ保持情報管理部４２は、ステップＳ２８で発信装置ＩＤとともに受信した時刻情報が示す時刻を、「時刻」の項目に記録する。同様に、サーバ保持情報管理部４２は、ステップＳ２８で発信装置ＩＤとともに受信した位置情報が示す位置を、「位置情報」の項目に記録する。また、サーバ保持情報管理部４２は、ステップＳ２５，Ｓ２８において、中継部３４が中継時に追加したアクセスポイント３のアクセスポイントＩＤを、「アクセスポイントＩＤ」の項目に記録する。この点は、前述のステップＳ４１と同様である。
【０１４８】
ステップＳ５１の後、サーバ保持情報管理部４２は、発信装置ＩＤ、時刻情報および位置情報に対する応答を、可搬型端末２に送信する（ステップＳ４２）。
【０１４９】
ステップＳ２８〜Ｓ４２の処理は、記憶部５７に記憶されている発信装置ＩＤの種類毎に１回ずつ実行される。４人の搭乗者１２が存在する場合、４種類の発信装置ＩＤに対してそれぞれ、ステップＳ２８〜Ｓ４２の処理が１回ずつ実行される。
【０１５０】
第２の態様においても、車両１０が、アクセスポイント３の通信範囲２３を通過している間に、各搭乗者１２の履歴が入退場管理テーブルに追加される。車両１０は、そのままゲート２１から施設２０の外部に進んでよい。
【０１５１】
第２の態様において、４種類の発信装置ＩＤに対してそれぞれ、図１５に示すステップＳ２８〜Ｓ４２の処理が１回ずつ実行された結果、入退場管理テーブルは、前述の図１１に示す場合と同様になる。管理者は、図１１に例示する入退場管理テーブルによって、図１１に示す４人が退場したと判断することができる。
【０１５２】
また、サーバ保持情報管理部４２は、ステップＳ５１で、ステップＳ２８で受信した位置情報がゲート２１の位置に該当していることを条件に、ステップＳ２８で受信した発信装置ＩＤに対応する「状態」の項目に、退場済みであることを記録してもよい。この場合、ゲート２１に該当する領域の情報を予め、管理サーバ４の記憶部４３に記憶させておく。サーバ保持情報管理部４２は、ステップＳ２８で受信した位置情報によって特定される位置が、ゲート２１に該当する領域内の位置であるか否かを判定する。その位置がゲート２１に該当する領域内の位置であれば、サーバ保持情報管理部４２は、受信した発信装置ＩＤに対応する「状態」の項目に、退場済みであることを記録する。その他の点は、上記のステップＳ５１と同様である。
【０１５３】
次に、非常時に施設２０から退場する場合の第３の態様について説明する。第３の態様では、ゲート近傍に設置されたアクセスポイント３とは別に、予備のアクセスポイント３ａが設置されているものとする。図１６は、予備のアクセスポイント３ａを設けた場合の入退場管理システムの例を示す模式図である。アクセスポイント３，３ａとは別に、施設２０内にアクセスポイント（図示略）が設けられていてもよい。アクセスポイント３ａの構成は、アクセスポイント３の構成と同様である。
【０１５４】
また、第３の態様では、非常時であっても警備員１３がゲート２１に駐在しているものとする。また、例えば、災害または施設２０内の事故に起因してゲート近傍に設置されたアクセスポイント３が損壊し、動作しなくなったものとする。ただし、予備のアクセスポイント３ａは、正常に動作するものとする。また、第３の態様では、ゲート２１で、車両１０の搭乗者１２は可搬型端末２を警備員１３に返却し、警備員１３は、可搬型端末２を持って予備のアクセスポイント３ａに移動する。
【０１５５】
図１７は、車両１０が非常時に施設２０から退場する場合の第３の態様における処理経過の例を示す説明図である。第１の態様と同様の動作については、図１２と同一のステップ番号を付し、詳細な説明を省略する。
【０１５６】
退場する車両内で、各搭乗者１２が所持している発信装置１毎に、ステップＳ２１，Ｓ２２が実行される。搭乗者１２が４人である場合、４つの発信装置１それぞれについて、ステップＳ２１，Ｓ２２が実行される。可搬型端末２の記憶部５７に記憶される発信装置ＩＤは、４人の搭乗者１２の発信装置ＩＤのみとなる。この点については、既に説明しているので、詳細な説明は省略する。
【０１５７】
車両１０がゲート２１に着くと、代表者は入場時に受け取っていた可搬型端末２を警備員１３に返却する。その後、車両１０は、施設２０から退場する。ゲート近傍に設置されたアクセスポイント３は損壊しているので、可搬型端末２とアクセスポイント３との通信は行われない。
【０１５８】
可搬型端末２が警備員１３に返却され、発信装置１を所持した搭乗者１２を乗せた車両１０が去ったことにより、可搬型端末２は、発信装置１から発信装置ＩＤを受信しなくなる。その結果、可搬型端末２が最後に発信装置１から最後に発信装置ＩＤを受信した時刻と、その時刻から１０秒遡った時刻との間に受信された発信装置ＩＤが可搬型端末２の記憶部５７に記憶されていて、その状態が維持される。本例では、４人の搭乗者１２の発信装置ＩＤが記憶された状態が維持される。
【０１５９】
警備員１３がこの可搬型端末２を持って予備のアクセスポイント３ａに移動することで、可搬型端末２、予備のアクセスポイント３ａおよび管理サーバ４は、ステップＳ２３〜Ｓ４２の動作を行う。ステップＳ２３〜Ｓ４２の動作は、第１の態様におけるステップＳ２３〜Ｓ４２の動作であり、詳細な説明を省略する。
【０１６０】
この結果、入退場管理テーブルには、図１８に例示する履歴が記録される。なお、図１８に示す（ｘ２，ｙ２）は、可搬型端末２が予備のアクセスポイント３ａ付近で測定した現在位置である。また、図１８に示す“ＡＰ９９９９”は、アクセスポイント３ａのアクセスポイントＩＤである。管理者は、図１８に例示する入退場管理テーブルを確認した場合でも、図１８に示す４人が退場したと判断することができる。
【０１６１】
なお、上記のように、可搬型端末２が警備員１３に返却され、発信装置１を所持した搭乗者１２を乗せた車両１０が去った場合、車両１０に乗っていた各搭乗者１２の発信装置ＩＤが可搬型端末２の記憶部５７に記憶された状態が維持される。ただし、警備員１３がこの可搬型端末２を持って予備のアクセスポイント３ａに移動する途中で、発信装置１を所持している別の者に出会った場合、その者の発信装置ＩＤが新たに可搬型端末２の記憶部５７に記憶され、その結果、車両１０に乗っていた各搭乗者１２の発信装置ＩＤが消去される場合が考えられる。そこで、発信装置ＩＤ受信部５２は、新たな発信装置ＩＤを記憶部５７に記憶させることを禁止する旨の命令が警備員１３から入力された場合、その後、新たに発信装置ＩＤを受信したとしても、その発信装置ＩＤを記憶部５７に記憶させないことが好ましい。その場合、警備員１３が、可搬型端末２を返却されたときに、すぐに、新たな発信装置ＩＤを記憶部５７に記憶させることを禁止する旨の命令を可搬型端末２に入力すればよい。すると、発信装置ＩＤ受信部５２は、新たな発信装置ＩＤを記憶部５７に記憶させないので、端末保持情報管理部５６は、車両１０に乗っていた各搭乗者１２の発信装置ＩＤを消去することがない。従って、車両１０に乗っていた各搭乗者１２の発信装置ＩＤが記憶部５７に記憶されている状態を確実に維持することができる。
【０１６２】
次に、非常時に施設２０から退場する場合の第４の態様について説明する。第４の態様では、公衆通信網の基地局を用いる。図１９は、基地局を含む入退場管理システムの例を示す模式図である。基地局７１は、例えば、ＬＴＥ（Long Term Evolution）等の公衆通信網の基地局である。
【０１６３】
第４の態様を適用可能とするために、可搬型端末２は、図２０に示すように、公衆通信網インタフェース６２と、基地局応答部６３とを備えていることが好ましい。
【０１６４】
公衆通信網インタフェース６２は、基地局７１と通信を行う際の通信インタフェースである。
【０１６５】
基地局応答部６３は、基地局応答部６３が設けられている可搬型端末２の端末ＩＤを含むビーコンを基地局７１から受信した場合、そのビーコンに対する応答を基地局７１に送信する。基地局応答部６３は、その可搬型端末２の端末ＩＤを含まないビーコンを基地局７１から受信した場合、そのビーコンに対して応答しない。基地局応答部６３は、例えば、可搬型端末用アプリケーションプログラムに従って動作するコンピュータのＣＰＵによって実現される。
【０１６６】
また、第４の態様を適用可能とするために、管理サーバ４は、図２１に示すように、公衆通信網インタフェース４６と、端末ＩＤ指定部４７とを備えていることが好ましい。
【０１６７】
公衆通信網インタフェース４６は、基地局７１と通信を行う際の通信インタフェースである。
【０１６８】
端末ＩＤ指定部４７は、管理者から、施設２０外で検出しようとする可搬型端末２の端末ＩＤを入力される。端末ＩＤは、例えば、操作部４４の操作によって端末ＩＤ指定部４７に入力される。入力される端末ＩＤの数は１つであっても、複数であってもよい。端末ＩＤ指定部４７は、入力された各端末ＩＤを含む情報を、公衆通信網インタフェース４６を介して基地局７１に送信することによって、基地局７１に、検出すべき可搬型端末２の端末ＩＤを指定する。ここでは、説明を簡単にするために、１つの端末ＩＤ“Ｔ１０１”が入力され、端末ＩＤ指定部４７が基地局７１に“Ｔ１０１”を含む情報を送信する場合を例にして説明する。端末ＩＤ指定部４７は、例えば、管理サーバ用プログラムに従って動作するコンピュータのＣＰＵによって実現される。
【０１６９】
基地局７１は、管理サーバ４から端末ＩＤを含む情報を受信すると（換言すれば、端末ＩＤを指定されると）、その端末ＩＤを含むビーコンを基地局７１の通信範囲７２に定期的に送信する。基地局の通信範囲７２は、セルとも呼ばれる。本例では、基地局７１は、端末ＩＤ“Ｔ１０１”を含むビーコンを定期的に送信する。
【０１７０】
なお、管理サーバ４から端末ＩＤを指定される基地局７１は、１つに限らず、複数存在していてもよい。
【０１７１】
また、端末ＩＤを指定されるということは、その端末ＩＤに対応する可搬型端末２を指定されることを意味する。
【０１７２】
第４の態様では、非常時のため警備員がゲート２１にいないものとする。また、例えば、災害または施設２０内の事故に起因して、ゲート近傍に設置されたアクセスポイント３が損壊し、動作しなくなったものとする。ただし、基地局７１は、正常に動作するものとする。
【０１７３】
第４の態様では、搭乗者１２を乗せた車両１０は、ゲート２１で停止することなく、施設２０から退場してよい。従って、搭乗者１２の代表者は、可搬型端末２を持ったまま退場してよい。この可搬型端末２の端末ＩＤは、“Ｔ１０１”であるものとする。ゲート近傍に設置されたアクセスポイント３が損壊しているので、ゲート通過時に、可搬型端末２は管理サーバ４と通信しない。
【０１７４】
図２２は、車両１０が非常時に施設２０から退場する場合の第４の態様における処理経過の例を示す説明図である。
【０１７５】
ステップＳ２１，Ｓ２２は、第１の態様におけるステップＳ２１，Ｓ２２と同様である。退場する車両内で、各搭乗者１２が所持している発信装置１毎に、ステップＳ２１，Ｓ２２が実行される。搭乗者１２が４人である場合、４つの発信装置１それぞれについて、ステップＳ２１，Ｓ２２が実行される。可搬型端末２の記憶部５７に記憶される発信装置ＩＤは、４人の搭乗者１２の発信装置ＩＤのみとなる。この点については、既に説明しているので、詳細な説明は省略する。
【０１７６】
基地局７１は、端末ＩＤを含むビーコンを定期的に送信する（ステップＳ６１）。車両１０が、基地局７１の通信範囲７２内に入ると、可搬型端末２の基地局応答部６３は、ビーコンに含まれている端末ＩＤが、その可搬型端末２の端末ＩＤと一致していることを条件に、ビーコンに対する応答信号を基地局７１に送信する（ステップＳ６２）。本例では、ビーコンに含まれている端末ＩＤ“Ｔ１０１”は、車両１０内の可搬型端末２の端末ＩＤであるので、基地局応答部６３は、応答信号を基地局７１に送信する。この結果、基地局７１と可搬型端末２との通信が確立され、可搬型端末２は、管理サーバ４と通信可能になる。
【０１７７】
なお、ビーコンに含まれている端末ＩＤと、可搬型端末２の端末ＩＤとが一致していない場合、基地局応答部６３は基地局７１に対して応答しない。この場合、以降の動作は行われない。
【０１７８】
ステップＳ６２の後、情報送受信部５５は、公衆通信網インタフェース６２を介して、記憶部５７に記憶されている車両番号および端末ＩＤを管理サーバ４に送信する（ステップＳ６３）。基地局７１は、可搬型端末２から送信された車両番号および端末ＩＤを管理サーバ４に中継する。
【０１７９】
管理サーバ４のサーバ保持情報管理部４２は、車両番号および端末ＩＤを基地局７１から受信すると、その車両番号が記憶部４３に記憶されていることを確認する（ステップＳ６４）。ステップＳ６４は、図１２に示すステップＳ２６と同様の動作である。ステップＳ６４の後、サーバ保持情報管理部４２は、車両番号および端末ＩＤを受信したことに対する応答を、可搬型端末２に送信する（ステップＳ６５）。基地局７１は、この応答を可搬型端末２に中継する。
【０１８０】
次に、情報送受信部５５は、記憶部５７に記憶されている発信装置ＩＤを１つ読み出し、その発信装置ＩＤを管理サーバ４に送信する（ステップＳ６６）。このとき、情報送受信部５５は、その時点の時刻情報および可搬型端末２の位置情報も合わせて送信する。基地局７１は、発信装置ＩＤ、時刻情報および位置情報を管理サーバ４に中継する。
【０１８１】
管理サーバ４のサーバ保持情報管理部４２は、公衆通信網インタフェース４６を介して、発信装置ＩＤ、時刻情報および位置情報を受信すると、その発信装置ＩＤが記憶部４３に記憶されていることを確認する（ステップＳ６７）。具体的には、サーバ保持情報管理部４２は、受信した発信装置ＩＤが入退場管理テーブル内に記述されていることを確認する。ステップＳ６７は、図１２に示すステップＳ２９と同様の動作である。
【０１８２】
サーバ保持情報管理部４２は、基地局７１を介して発信装置ＩＤ、時刻情報および位置情報を受信し、その発信装置ＩＤが記憶部４３に記憶されていることを確認すると、その発信装置ＩＤに対応付けて、退場済みであることを入退場管理テーブルに記録する（ステップＳ６８）。具体的には、サーバ保持情報管理部４２は、受信した各発信装置ＩＤに対応する「状態」の項目に、退場済みであることを記録する。基地局７１は施設２０の外部に設置されているので、基地局７１を介して発信装置ＩＤを受信したということは、その発信装置ＩＤに対応する搭乗者１２は退場済みであると言える。
【０１８３】
また、ステップＳ６８において、サーバ保持情報管理部４２は、ステップＳ６３で受信した端末ＩＤ（本例では、Ｔ１０１）も、発信装置ＩＤに対応する「端末ＩＤ」の項目に記録する。また、サーバ保持情報管理部４２は、ステップＳ６６で発信装置ＩＤとともに受信した時刻情報が示す時刻を、「時刻」の項目に記録する。同様に、サーバ保持情報管理部４２は、ステップＳ６６で発信装置ＩＤとともに受信した位置情報が示す位置を、「位置情報」の項目に記録する。また、サーバ保持情報管理部４２は、アクセスポイントではなく、基地局７１を介して、発信装置ＩＤ等を受信しているので、「アクセスポイントＩＤ」の項目には、記録を行わない。
【０１８４】
ステップＳ６８の後、サーバ保持情報管理部４２は、発信装置ＩＤ、時刻情報および位置情報に対する応答を、可搬型端末２に送信する（ステップＳ６９）。基地局７１は、この応答を可搬型端末２に中継する。
【０１８５】
ステップＳ６６〜Ｓ６９の処理は、記憶部５７に記憶されている発信装置ＩＤの種類毎に１回ずつ実行される。４人の搭乗者１２が存在する場合、４種類の発信装置ＩＤに対してそれぞれ、ステップＳ６６〜Ｓ６９の処理が１回ずつ実行される。
【０１８６】
４種類の発信装置ＩＤに対してそれぞれ、ステップＳ６６〜Ｓ６９の処理が１回ずつ実行された結果、入退場管理テーブルは、図２３に例示するようになる。図２３に示す（ｘ２，ｙ２）は、可搬型端末２が基地局７１の通信範囲７２内で測定した現在位置である。管理者は、図２３に例示する入退場管理テーブルを確認した場合でも、図２３に示す４人が退場したと判断することができる。
【０１８７】
なお、上記の第４の態様では、図１９に例示するように、基地局７１の通信範囲７２が施設２０に及んでいないものとして説明した。ただし、基地局７１の通信範囲７２が広く、基地局７１の通信範囲７２が施設２０に及んでいる場合も考えられる。この場合、管理者によって指定された端末ＩＤに該当する可搬型端末２が施設２０内に存在していたとしても、上記のステップＳ６１〜Ｓ６９の動作が実行され、退場済みである旨が記録される場合があり得る。そこで、管理サーバ４のサーバ保持情報管理部４２は、ステップＳ６８において、可搬型端末２の位置（ステップＳ６６で受信した位置情報から特定される位置）が、施設２０に該当する領域の外部であるか否かを確認し、可搬型端末２の位置が施設２０に該当する領域の外部であることを条件に、退場済みであることを記録することが好ましい。施設２０に該当する領域の情報は、予め管理サーバ４の記憶部４３に記憶させておけばよい。
【０１８８】
本実施形態によれば、車両入場時には、警備員１３が車両番号を入力し、その後自動的に表示される顔写真と搭乗者１２とを比較し、入場時用の確認ボタンにタッチすれば、管理サーバ４に、自動的に、その搭乗者１２が入場済みであることが記録される。
【０１８９】
また、管理サーバ４が通常モードである場合、警備員１３が、退場する車両１０の搭乗者１２から可搬型端末２を返却され、自動的に表示される顔写真と搭乗者１２とを比較し、退場時用の確認ボタンにタッチすれば、管理サーバ４に、自動的に、その搭乗者１２が退場済みであることが記録される。
【０１９０】
また、発信装置１は、他の装置からの信号を受信しなくても、定期的に発信装置ＩＤを発信する。従って、可搬型端末２は、確実に各搭乗者１２の発信装置ＩＤを収集することができる。
【０１９１】
よって、本実施形態によれば、車両１０で施設２０に入場したり退場したりする者の状況を簡便に、確実に把握できる。
【０１９２】
また、管理サーバ４が非常時モードに切り替えられている場合、管理サーバ４は、退場確認信号を受信しなくても、退場時の搭乗者の状況を履歴に記録することができる。従って、警備員がいなくても、管理サーバ４は、退場時の搭乗者の状況を履歴に記録することができる。
【０１９３】
また、可搬型端末２が、発信装置ＩＤ、時刻情報、位置情報等を管理サーバ４に送信するので、非常時にアクセスポイント３が損壊したとしても、警備員１３がその可搬型端末２を持って予備のアクセスポイント３ａに移動することができる。従って、管理サーバ４は、アクセスポイント３が損壊したとしても、退場時の搭乗者の状況を履歴に記録することができる。
【０１９４】
また、第４の態様では、警備員がおらず、アクセスポイント３が損壊したとしても、可搬型端末２が、基地局７１を介して、発信装置ＩＤ、時刻情報、位置情報等を管理サーバ４に送信する。従って、第４の態様では、警備員がおらず、アクセスポイント３が損壊していても、管理サーバ４は、車両１０の搭乗者が退場済みであることを記録することができる。
【０１９５】
また、本発明の実施形態において、管理サーバ４のサーバ保持情報管理部４２は、非常時モードに切り替えられているときに、管理者によって記憶部４３に登録された情報を可搬型端末２に送信してもよい。管理者によって記憶部４３に登録される情報の例として、避難マニュアル等のように災害や事故等が発生する前に用意された情報が挙げられる。また、災害や事故等の状況に応じて適宜作成された情報（例えば、「東側の道路が損壊したので、東側へは避難できない。」等の情報）が登録されてもよい。
【０１９６】
サーバ保持情報管理部４２は、管理者によって登録された上記のような情報を、例えば、可搬型端末２との通信が確立したときに可搬型端末２に送信する。
【０１９７】
例えば、前述の第１の態様では、図１２に示すステップＳ２４の後、サーバ保持情報管理部４２が、アクセスポイント３を介して、情報を可搬型端末２に送信してもよい。
【０１９８】
同様に、前述の第２の態様では、図１５に示すステップＳ２４の後、サーバ保持情報管理部４２が、アクセスポイント３を介して、情報を可搬型端末２に送信してもよい。
【０１９９】
同様に、前述の第４の態様では、図２２に示すステップＳ６２の後、サーバ保持情報管理部４２が、基地局７１を介して、情報を可搬型端末２に送信してもよい。
【０２００】
また、以上の説明では、管理サーバ４が、入場時や退場時の状況を入退場管理テーブルに記録する場合を示した。入場時や退場時の状況だけでなく、入場した者が施設２０内のどの場所にいるかを、管理サーバ４が記録してもよい。
【０２０１】
この場合、施設２０内に、ゲート近傍以外の場所にもアクセスポイントを設けておく。このアクセスポイントの数は特に限定されない。また、施設２０内の各建物の各部屋等に、前述の可搬型端末２と同様の可搬型端末２を設置しておく。ただし、各部屋に設置される可搬型端末２は、固定的に設置され、その部屋に近いアクセスポイントと通信を確立した状態になっている。
【０２０２】
施設２０に入場後、車両１０から降りた者は発信装置１を所持し続ける。すると、その者が、警備員１３が入場時に車内の代表者に渡した可搬型端末２を持っていなくても、その者がいる部屋に固定的に設置された可搬型端末２は、その者の発信装置ＩＤを受信することができる。そして、その可搬型端末２および管理サーバ４が、例えば、図１２に示すステップＳ２８〜Ｓ４２と同様の動作を行うことによって、管理サーバ４は、その者がいる部屋を、入退場管理テーブルに記録することができる。なお、管理サーバ４は、発信装置ＩＤの送信元が、部屋等に固定的に設置されている可搬型端末２である場合、通常モードであっても、図１２に示すステップＳ２８〜Ｓ４２と同様の動作を行ってよい。また、この場合、管理サーバ４は、部屋等に固定的に設置されている可搬型端末２を識別可能な情報を予め保持していればよい。
【０２０３】
次に、本発明の概要について説明する。図２４は、本発明の入退場管理システムの概要を示すブロック図である。本発明の入退場管理システムは、発信装置１と、可搬型端末２と、アクセスポイント３と、管理サーバ４とを備える。
【０２０４】
管理サーバ４は、所定の施設（例えば、施設２０）に入退場する者（例えば、車両１０の搭乗者１２）の入退場の履歴を管理する。
【０２０５】
発信装置１は、入退場する者によって所持され、固有の発信装置ＩＤを定期的に発信する。
【０２０６】
可搬型端末２は、入退場する者が所持する各発信装置１が発信した各発信装置ＩＤを受信し、その各発信装置ＩＤを管理サーバ４に送信する。
【０２０７】
アクセスポイント３は、可搬型端末２と管理サーバ４との通信を中継する。
【０２０８】
そのような構成により、車両で所定の施設に入場したり退場したりする者の状況を簡便に、確実に把握できる。
【０２０９】
上記の実施形態は、以下の付記のようにも記載され得るが、以下に限定されるわけではない。
【０２１０】
（付記１）所定の施設に入退場する者の入退場の履歴を管理する管理サーバと、前記入退場する者によって所持され、固有の発信装置ＩＤを定期的に発信する発信装置と、前記入退場する者が所持する各発信装置が発信した各発信装置ＩＤを受信し、前記各発信装置ＩＤを前記管理サーバに送信する可搬型端末と、前記可搬型端末と前記管理サーバとの通信を中継するアクセスポイントとを備えることを特徴とする入退場管理システム。
【０２１１】
（付記２）管理サーバには、予め、発信装置の発信装置ＩＤと当該発信装置を所持する者の情報とを対応付けた情報が登録され、可搬型端末は、入退場する者が所持する各発信装置が発信した各発信装置ＩＤを受信し、前記各発信装置ＩＤを前記管理サーバに送信し、さらに所定の操作により、前記入退場する者の入場が確定したことを示す入場確定情報を前記管理サーバに送信し、前記管理サーバは、前記可搬型端末から前記各発信装置ＩＤを受信し、続けて、前記入場確定情報を受信した場合に、前記各発信装置ＩＤに対応する者の履歴に入場済みである旨を記録する付記１に記載の入退場管理システム。
【０２１２】
（付記３）管理サーバは、入退場する者の退場が確定したことを示す退場確定情報を受信した場合に、入退場する者の退場時の履歴を追加する通常モードと、前記退場確定情報を受信することなく、入退場する者の退場時の履歴を追加する非常時モードとに切り替え可能であり、可搬型端末は、入退場する者が所持する各発信装置が発信した各発信装置ＩＤを受信し、前記各発信装置ＩＤを管理サーバに送信し、さらに第２の所定の操作により、前記退場確定情報を管理サーバに送信し、前記管理サーバは、通常モードの場合、前記可搬型端末から前記各発信装置ＩＤを受信し、続けて、前記退場確定情報を受信したときに、前記各発信装置ＩＤに対応する者の履歴に退場済みである旨を記録する付記２に記載の入退場管理システム。
【０２１３】
（付記４）可搬型端末は、入退場する者が所持する各発信装置が発信した各発信装置ＩＤを受信し、前記各発信装置ＩＤを前記管理サーバに送信し、前記管理サーバは、非常時モードの場合、前記可搬型端末から前記各発信装置ＩＤを受信したときに、前記各発信装置ＩＤに対応する者の履歴に、入退場する者の位置情報を記録する付記３に記載の入退場管理システム。
【０２１４】
（付記５）可搬型端末は、各発信装置ＩＤを管理サーバに送信するときに、当該可搬型端末の位置情報を合わせて送信し、前記管理サーバは、前記可搬型端末の位置情報を入退場する者の位置情報とし、前記各発信装置ＩＤに対応する者の履歴に、前記可搬型端末の位置情報が示す位置を通過した旨を記録する付記４に記載の入退場管理システム。
【０２１５】
（付記６）アクセスポイントは、可搬型端末が送信した各発信装置ＩＤを管理サーバに中継するときに、当該アクセスポイントのＩＤを前記各発信装置ＩＤに付加し、前記管理サーバは、前記各発信装置ＩＤに対応する者の履歴に、前記アクセスポイントのＩＤから特定される前記アクセスポイントの位置を通過した旨を記録する付記４に記載の入退場管理システム。
【０２１６】
（付記７）可搬型端末は、入退場する者が所持する各発信装置が発信した各発信装置ＩＤを受信し、前記各発信装置ＩＤを前記管理サーバに送信し、前記管理サーバは、非常時モードの場合、前記可搬型端末から、ゲート近傍に設置されたアクセスポイントを介して前記各発信装置ＩＤを受信したときに、前記各発信装置ＩＤに対応する者の履歴に退場済みである旨を記録する付記３に記載の入退場管理システム。
【０２１７】
（付記８）所定の施設の外部に設けられた公衆通信網の基地局を備え、前記基地局は、指定された可搬型端末を当該基地局の通信範囲内で検出すると、当該可搬型端末と管理サーバとの通信を中継し、前記管理サーバは、非常時モードの場合、前記可搬型端末から前記基地局を介して各発信装置ＩＤを受信したときに、前記可搬型端末の位置情報に応じて、前記各発信装置ＩＤに対応する者の履歴に退場済みである旨を記録する付記３から付記７のうちのいずれかに記載の入退場管理システム。
【０２１８】
（付記９）管理サーバは、非常時モードの場合、可搬型端末に対して、当該管理サーバの管理者によって登録された情報を送信する付記３から付記８のうちのいずれかに記載の入退場管理システム。
【０２１９】
（付記１０）可搬型端末は、発信装置ＩＤを受信すると、当該発信装置ＩＤを記憶するとともに、当該発信装置ＩＤの受信時刻から所定時間遡った時点よりも前に受信した発信装置ＩＤを消去する付記１から付記９のうちのいずれかに記載の入退場管理システム。
【０２２０】
（付記１１）所定の施設に入退場する者の入退場の履歴を管理する管理サーバと、前記入退場する者によって所持され、固有の発信装置ＩＤを定期的に発信する発信装置と、前記入退場する者が所持する各発信装置が発信した各発信装置ＩＤを受信し、前記各発信装置ＩＤを前記管理サーバに送信する可搬型端末と、前記可搬型端末と前記管理サーバとの通信を中継するアクセスポイントとを備え、管理サーバには、予め、発信装置の発信装置ＩＤと当該発信装置を所持する者の情報とを対応付けた情報が登録され、前記管理サーバは、入退場する者の退場が確定したことを示す退場確定情報を受信した場合に、入退場する者の退場時の履歴を追加する通常モードと、前記退場確定情報を受信することなく、入退場する者の退場時の履歴を追加する非常時モードとに切り替え可能である入退場管理システムに適用される入退場管理方法であって、前記可搬型端末が、前記入退場する者が所持する各発信装置が発信した各発信装置ＩＤを受信し、前記各発信装置ＩＤを前記管理サーバに送信し、さらに所定の操作により、前記入退場する者の入場が確定したことを示す入場確定情報を前記管理サーバに送信し、前記管理サーバが、前記可搬型端末から前記各発信装置ＩＤを受信し、続けて、前記入場確定情報を受信した場合に、前記各発信装置ＩＤに対応する者の履歴に入場済みである旨を記録することを特徴とする入退場管理方法。
【０２２１】
（付記１２）可搬型端末が、入退場する者が所持する各発信装置が発信した各発信装置ＩＤを受信し、前記各発信装置ＩＤを管理サーバに送信し、さらに第２の所定の操作により、退場確定情報を管理サーバに送信し、前記管理サーバが、通常モードの場合、前記可搬型端末から前記各発信装置ＩＤを受信し、続けて、前記退場確定情報を受信したときに、前記各発信装置ＩＤに対応する者の履歴に退場済みである旨を記録する付記１１に記載の入退場管理方法。
【０２２２】
（付記１３）可搬型端末が、入退場する者が所持する各発信装置が発信した各発信装置ＩＤを受信し、前記各発信装置ＩＤを前記管理サーバに送信し、前記管理サーバが、非常時モードの場合、前記可搬型端末から前記各発信装置ＩＤを受信したときに、前記各発信装置ＩＤに対応する者の履歴に、入退場する者の位置情報を記録する付記１１または付記１２に記載の入退場管理方法。
【０２２３】
（付記１４）可搬型端末が、各発信装置ＩＤを管理サーバに送信するときに、当該可搬型端末の位置情報を合わせて送信し、前記管理サーバが、前記可搬型端末の位置情報を入退場する者の位置情報とし、前記各発信装置ＩＤに対応する者の履歴に、前記可搬型端末の位置情報が示す位置を通過した旨を記録する付記１３に記載の入退場管理方法。
【０２２４】
（付記１５）アクセスポイントが、可搬型端末が送信した各発信装置ＩＤを管理サーバに中継するときに、当該アクセスポイントのＩＤを前記各発信装置ＩＤに付加し、前記管理サーバが、前記各発信装置ＩＤに対応する者の履歴に、前記アクセスポイントのＩＤから特定される前記アクセスポイントの位置を通過した旨を記録する付記１３に記載の入退場管理方法。
【０２２５】
（付記１６）可搬型端末が、入退場する者が所持する各発信装置が発信した各発信装置ＩＤを受信し、前記各発信装置ＩＤを前記管理サーバに送信し、前記管理サーバが、非常時モードの場合、前記可搬型端末から、ゲート近傍に設置されたアクセスポイントを介して前記各発信装置ＩＤを受信したときに、前記各発信装置ＩＤに対応する者の履歴に退場済みである旨を記録する付記１１または付記１２に記載の入退場管理方法。
【０２２６】
（付記１７）所定の施設の外部に設けられた公衆通信網の基地局が、指定された可搬型端末を当該基地局の通信範囲内で検出すると、当該可搬型端末と管理サーバとの通信を中継し、前記管理サーバが、非常時モードの場合、前記可搬型端末から前記基地局を介して各発信装置ＩＤを受信したときに、前記可搬型端末の位置情報に応じて、前記各発信装置ＩＤに対応する者の履歴に退場済みである旨を記録する付記１１から付記１６のうちのいずれかに記載の入退場管理方法。
【０２２７】
（付記１８）管理サーバが、非常時モードの場合、可搬型端末に対して、当該管理サーバの管理者によって登録された情報を送信する付記１１から付記１７のうちのいずれかに記載の入退場管理方法。
【０２２８】
（付記１９）可搬型端末が、発信装置ＩＤを受信すると、当該発信装置ＩＤを記憶するとともに、当該発信装置ＩＤの受信時刻から所定時間遡った時点よりも前に受信した発信装置ＩＤを消去する付記１１から付記１８のうちのいずれかに記載の入退場管理方法。
【０２２９】
以上、実施形態を参照して本願発明を説明したが、本願発明は上記の実施形態に限定されるものではない。本願発明の構成や詳細には、本願発明のスコープ内で当業者が理解し得る様々な変更をすることができる。
【０２３０】
この出願は、２０１５年８月２８日に出願された日本特許出願２０１５−１６９１２２を基礎とする優先権を主張し、その開示の全てをここに取り込む。
【産業上の利用の可能性】
【０２３１】
本発明は、所定の施設に入場したり退場したりする者の状況を管理する入退場管理システムに好適に適用される。
【符号の説明】
【０２３２】
１  発信装置
２  可搬型端末
３  アクセスポイント
４  管理サーバ
１０  車両
１２  搭乗者
１３  警備員
２０  施設
２１  ゲート
２３  通信範囲
３１  第１ＬＡＮインタフェース
３２  第２ＬＡＮインタフェース
３３  ビーコン送信部
３４  中継部
３５  記憶部
４１  サーバ内ＬＡＮインタフェース
４２  サーバ保持情報管理部
４３  記憶部
４４  操作部
４５  表示部
４６  公衆通信網インタフェース
４７  端末ＩＤ指定部
５１  ＢＬＥインタフェース
５２  発信装置ＩＤ受信部
５３  端末内ＬＡＮインタフェース
５４  ビーコン応答部
５５  情報送受信部
５６  端末保持情報管理部
５７  記憶部
５８  時刻測定部
５９  位置測定部
６０  入力デバイス
６１  表示部
６２  公衆通信網インタフェース
６３  基地局応答部
７１  基地局
７２  通信範囲
【図１】
2017038027.tif 000003
【図２】
2017038027.tif 000004
【図３】
2017038027.tif 000005
【図４】
2017038027.tif 000006
【図５】
2017038027.tif 000007
【図６】
2017038027.tif 000008
【図７】
2017038027.tif 000009
【図８】
2017038027.tif 000010
【図９】
2017038027.tif 000011
【図１０】
2017038027.tif 000012
【図１１】
2017038027.tif 000013
【図１２】
2017038027.tif 000014
【図１３】
2017038027.tif 000015
【図１４】
2017038027.tif 000016
【図１５】
2017038027.tif 000017
【図１６】
2017038027.tif 000018
【図１７】
2017038027.tif 000019
【図１８】
2017038027.tif 000020
【図１９】
2017038027.tif 000021
【図２０】
2017038027.tif 000022
【図２１】
2017038027.tif 000023
【図２２】
2017038027.tif 000024
【図２３】
2017038027.tif 000025
【図２４】
2017038027.tif 000026
【国際調査報告】
2017038027.tif 000027
2017038027.tif 000028
2017038027.tif 000029
2017038027.tif 000030